(57)【要約】【課題】移動端末がある網から他の網へハンドオーバーする際に、移動通信システムで移動端末の網アドレスを設定する方法を提供する。【解決手段】同種（ｈｏｍｏｇｅｎｅｏｕｓ）の網及び異種（ｈｅｔｅｒｏｇｅｎｅｏｕｓ）の網のうちの一つ以上への／からのメッセージを管理するために移動端末の上位階層への単一化したインターフェースを設定し、前記同種の網及び異種の網のうちの一つ以上に前記移動端末のハンドオーバーを行い、データを通信するために前記同種の網及び異種の網のうちの一つ以上のための前記移動端末の網アドレスを設定するために、前記単一化したインターフェースからの要請を前記上位階層で受信し、前記同種の網及び異種の網のうちの一つ以上のための前記網アドレスを設定する。【選択図】図６
2008532359.tif 000002
【特許請求の範囲】
【請求項１】
移動通信システムで移動端末の網アドレスを設定する方法であって、
同種（ｈｏｍｏｇｅｎｅｏｕｓ）の網及び異種（ｈｅｔｅｒｏｇｅｎｅｏｕｓ）の網のうちの一つ以上への／からのメッセージを管理するために前記移動端末の上位階層への単一化したインターフェースを設定する段階と、
前記同種の網及び異種の網のうちの一つ以上に前記移動端末のハンドオーバーを行う段階と、
データを通信するために前記同種の網及び異種の網のうちの一つ以上のための前記移動端末の網アドレスを設定するために、前記単一化したインターフェースからの要請を前記上位階層で受信する段階と、
前記同種の網及び異種の網のうちの一つ以上のための前記網アドレスを設定する段階と、
を備える、網アドレス設定方法。
【請求項２】
前記網アドレスは、インターネットプロトコル（Ｉｎｔｅｒｎｅｔ  Ｐｒｏｔｏｃｏｌ；ＩＰ）アドレスであることを特徴とする、請求項１に記載の網アドレス設定方法。
【請求項３】
前記上位階層内で要請を受信する前記段階は、前記移動端末のサブネットが変更された時に発生することを特徴とする、請求項１に記載の網アドレス設定方法。
【請求項４】
ハンドオーバーを行う前記段階は、現在網の媒体接近制御（ｍｅｄｉｕｍ  ａｃｃｅｓｓ  ｃｏｎｔｒｏｌ）階層から前記同種の網及び異種の網のうちの一つ以上の媒体接近制御階層へのハンドオーバーを行う段階を含むことを特徴とする、請求項１に記載の網アドレス設定方法。
【請求項５】
前記同種の網は、前記現在網であることを特徴とする、請求項４に記載の網アドレス設定方法。
【請求項６】
データを通信するために前記同種の網及び異種の網のうちの一つ以上のための前記移動端末の前記網アドレスを設定するか否かを表す指示（ｉｎｄｉｃａｔｉｏｎ）を、前記移動端末の媒体接近制御階層内で前記同種の網及び異種の網のうちの一つ以上から受信する段階をさらに含むことを特徴とする、請求項１に記載の網アドレス設定方法。
【請求項７】
データを通信するために前記同種の網及び異種の網のうちの一つ以上のための前記移動端末の前記網アドレスを設定するか否かを指示するために、前記移動端末の媒体接近制御階層から前記単一化したインターフェースに指示子（ｉｎｄｉｃａｔｏｒ）を転送する段階をさらに含むことを特徴とする、請求項１に記載の網アドレス設定方法。
【請求項８】
前記単一化したインターフェースは、データを通信するために前記同種の網及び異種の網のうちの一つ以上のための前記移動端末の前記網アドレスを設定するか否かを決定することを特徴とする、請求項１に記載の網アドレス設定方法。
【請求項９】
前記上位階層は、移動性（ｍｏｂｉｌｉｔｙ）管理プロトコル及び上位管理エンティティ（ｅｎｔｉｔｙ）のうち一つ以上を含むことを特徴とする、請求項１に記載の網アドレス設定方法。
【請求項１０】
前記上位階層からの前記単一化したインターフェースに前記同種の網及び異種の網のうちの一つ以上のための前記網アドレスが設定されることを知らせる段階をさらに含むことを特徴とする、請求項１に記載の網アドレス設定方法。
【請求項１１】
前記単一化したインターフェースは、媒介体独立ハンドオーバー（ｍｅｄｉａ  ｉｎｄｅｐｅｎｄｅｎｔ  ｈａｎｄｏｖｅｒ；ＭＩＨ）機能であることを特徴とする、請求項１に記載の網アドレス設定方法。
【請求項１２】
前記同種の網及び異種の網のうちの一つ以上のために前記ＩＰアドレスを設定する前記段階は、
前記同種の網及び異種の網のうちの一つ以上の外部エージェントに前記ＩＰアドレスを要請する段階と、
前記外部エージェントから前記ＩＰアドレスを受信する段階と、
前記同種の網及び異種の網のうちの一つ以上のための前記ＩＰアドレスをホーム網のホームエージェントに登録する段階と、
を含むことを特徴とする、請求項２に記載の網アドレス設定方法。
【請求項１３】
前記ＩＰアドレスは、臨時アドレス（ｃａｒｅ  ｏｆ  ａｄｄｒｅｓｓ；ＣｏＡ）であることを特徴とする、請求項１２に記載の網アドレス設定方法。
【請求項１４】
前記同種の網及び異種の網のうちの一つ以上のための前記ＩＰアドレスを設定する前記段階は、
前記同種の網及び異種の網のうちの一つ以上の動的ホスト構成プロトコル（ｄｙｎａｍｉｃ  ｈｏｓｔ  ｃｏｎｆｉｇｕｒａｔｉｏｎ  ｐｒｏｔｏｃｏｌ；ＤＨＣＰ）サーバを発見して選択する段階と、
前記同種の網及び異種の網のうちの一つ以上のための前記ＩＰアドレスを前記ＤＨＣＰサーバから要請する段階と、
前記ＤＨＣＰサーバから前記ＩＰアドレスを受信する段階と、
前記ＩＰアドレスをホーム網のホームエージェントに登録する段階と、
を含むことを特徴とする、請求項２に記載の網アドレス設定方法。
【請求項１５】
前記ＩＰアドレスは、臨時アドレス（ＣｏＡ）であることを特徴とする、請求項１４に記載の網アドレス設定方法。
【請求項１６】
前記同種の網及び異種の網のうちの一つ以上のための前記ＩＰアドレスを設定する前記段階は、
前記同種の網及び異種の網のうちの一つ以上の接続ルータに前記同種の網及び異種の網のうちの一つ以上のための前記ＩＰアドレスの前記構成と関連したプリフィクス（ｐｒｅｆｉｘ）情報を要請する段階と、
前記接続ルータから前記プリフィクス情報を受信する段階と、
前記受信されたプリフィクス情報を用いて前記ＩＰアドレスを構成する段階と、
前記ＩＰアドレスをホーム網のホームエージェントに登録する段階と、
を含むことを特徴とする、請求項２に記載の網アドレス設定方法。
【請求項１７】
前記ＩＰアドレスは、臨時アドレス（ＣｏＡ）であることを特徴とする、請求項１６に記載の網アドレス設定方法。
【請求項１８】
前記同種の網及び異種の網のうちの一つ以上のための前記ＩＰアドレスを設定する前記段階は、
前記同種の網及び異種の網のうちの一つ以上の動的ホスト構成プロトコルｖ６（ｄｙｎａｍｉｃ  ｈｏｓｔ  ｃｏｎｆｉｇｕｒａｔｉｏｎ  ｐｒｏｔｏｃｏｌｖ６；ＤＨＣＰｖ６）サーバを発見して選択する段階と、
前記同種の網及び異種の網のうちの一つ以上のための前記ＩＰアドレスを前記ＤＨＣＰｖ６サーバから要請する段階と、
前記ＤＨＣＰｖ６サーバから前記ＩＰアドレスを受信する段階と、
前記ＩＰアドレスをホーム網のホームエージェントに登録する段階と、
を含むことを特徴とする、請求項２に記載の網アドレス設定方法。
【請求項１９】
前記ＩＰアドレスは、臨時アドレス（ＣｏＡ）であることを特徴とする、請求項１８に記載の網アドレス設定方法。
【請求項２０】
前記単一化したインターフェースから前記移動端末の網アドレスを設定するための要請を前記上位階層内で受信する前記段階は、ハンドオーバーを行う前に発生することを特徴とする、請求項１に記載の網アドレス設定方法。
【請求項２１】
データを通信するために前記同種の網及び異種の網のうちの一つ以上のための前記移動端末の前記網アドレスを設定するか否かを表す指示（ｉｎｄｉｃａｔｉｏｎ）を、前記移動端末の媒体接近制御階層内で現在網から受信する段階をさらに含むことを特徴とする、請求項２０に記載の網アドレス設定方法。
【請求項２２】
前記同種の網及び異種の網のうちの一つ以上と接続を設定する段階をさらに含むことを特徴とする、請求項２１に記載の網アドレス設定方法。
【請求項２３】
前記接続を設定する段階は、前記移動端末の媒体接近制御階層と前記同種の網及び異種の網のうちの一つ以上の媒体接近制御階層間で接続を設定する段階を含むことを特徴とする、請求項２２に記載の網アドレス設定方法。
【請求項２４】
前記網アドレスは、インターネットプロトコル（ＩＰ）アドレスであることを特徴とする、請求項２０に記載の網アドレス設定方法。
【請求項２５】
前記移動端末の網アドレスを設定するための要請を前記上位階層内で前記単一化したインターフェースから受信する前記段階は、前記移動端末のサブネット（ｓｕｂｎｅｔ）が変更された時に発生することを特徴とする、請求項２０に記載の網アドレス設定方法。
【請求項２６】
ハンドオーバーを行う前記段階は、現在網の媒体接近制御階層から前記同種の網及び異種の網のうちの一つ以上の媒体接近制御階層へのハンドオーバーを行う段階を含むことを特徴とする、請求項２０に記載の網アドレス設定方法。
【請求項２７】
データを通信するために前記同種の網及び異種の網のうちの一つ以上のための前記移動端末の前記網アドレスを設定するか否かを指示するための指示子を、前記移動端末の媒体接近制御階層から前記単一化したインターフェースに転送する段階をさらに含むことを特徴とする、請求項２０に記載の網アドレス設定方法。
【請求項２８】
前記単一化したインターフェースは、データを通信するために前記同種の網及び異種の網のうちの一つ以上のための前記移動端末の前記網アドレスを設定するか否かを決定することを特徴とする、請求項２０に記載の網アドレス設定方法。
【請求項２９】
前記上位階層は、移動性管理プロトコル及び上位管理エンティティのうち一つ以上を含むことを特徴とする、請求項２０に記載の網アドレス設定方法。
【請求項３０】
前記上位階層から前記単一化したインターフェースに前記同種の網及び異種の網のうちの一つ以上のための前記網アドレスが設定されることを知らせる段階をさらに含むことを特徴とする、請求項２０に記載の網アドレス設定方法。
【請求項３１】
前記単一化したインターフェースは、媒介体独立ハンドオーバー（ＭＩＨ）機能であることを特徴とする、請求項２０に記載の網アドレス設定方法。
【請求項３２】
前記同種の網及び異種の網のうちの一つ以上のために前記ＩＰアドレスを設定する前記段階は、
前記同種の網及び異種の網のうちの一つ以上の外部エージェントに前記ＩＰアドレスを要請する段階と、
前記外部エージェントから前記ＩＰアドレスを受信する段階と、
前記同種の網及び異種の網のうちの一つ以上のための前記ＩＰアドレスをホーム網のホームエージェントに登録する段階と、
を含むことを特徴とする、請求項２４に記載の網アドレス設定方法。
【請求項３３】
前記ＩＰアドレスは、臨時アドレス（ｃａｒｅ  ｏｆ  ａｄｄｒｅｓｓ；ＣｏＡ）であることを特徴とする、請求項３２に記載の網アドレス設定方法。
【請求項３４】
前記同種の網及び異種の網のうちの一つ以上のための前記ＩＰアドレスを設定する前記段階は、
前記同種の網及び異種の網のうちの一つ以上の動的ホスト構成プロトコル（ｄｙｎａｍｉｃ  ｈｏｓｔ  ｃｏｎｆｉｇｕｒａｔｉｏｎ  ｐｒｏｔｏｃｏｌ；ＤＨＣＰ）サーバを発見して選択する段階と、
前記同種の網及び異種の網のうちの一つ以上のための前記ＩＰアドレスを前記ＤＨＣＰサーバから要請する段階と、
前記ＤＨＣＰサーバから前記ＩＰアドレスを受信する段階と、
前記ＩＰアドレスをホーム網のホームエージェントに登録する段階と、
を含むことを特徴とする、請求項２４に記載の網アドレス設定方法。
【請求項３５】
前記ＩＰアドレスは、臨時アドレス（ＣｏＡ）であることを特徴とする、請求項３４に記載の網アドレス設定方法。
【請求項３６】
前記同種の網及び異種の網のうちの一つ以上のための前記ＩＰアドレスを設定する前記段階は、
前記同種の網及び異種の網のうちの一つ以上の接続ルータに前記同種の網及び異種の網のうちの一つ以上のための前記ＩＰアドレスの前記構成と関連したプリフィクス情報を要請する段階と、
前記接続ルータから前記プリフィクス情報を受信する段階と、
前記受信したプリフィクス情報を用いて前記ＩＰアドレスを構成する段階と、
前記ＩＰアドレスをホーム網のホームエージェントに登録する段階と、
を含むことを特徴とする、請求項２４に記載の網アドレス設定方法。
【請求項３７】
前記ＩＰアドレスは、臨時アドレス（ＣｏＡ）であることを特徴とする、請求項３６に記載の網アドレス設定方法。
【請求項３８】
前記同種の網及び異種の網のうちの一つ以上のための前記ＩＰアドレスを設定する前記段階は、
前記同種の網及び異種の網のうちの一つ以上の動的ホスト構成プロトコルｖ６（ｄｙｎａｍｉｃ  ｈｏｓｔ  ｃｏｎｆｉｇｕｒａｔｉｏｎ  ｐｒｏｔｏｃｏｌｖ６；ＤＨＣＰｖ６）サーバを発見して選択する段階と、
前記同種の網及び異種の網のうちの一つ以上のための前記ＩＰアドレスを前記ＤＨＣＰｖ６サーバから要請する段階と、
前記ＤＨＣＰｖ６サーバから前記ＩＰアドレスを受信する段階と、
前記ＩＰアドレスをホーム網のホームエージェントに登録する段階と、
を含むことを特徴とする、請求項２４に記載の網アドレス設定方法。
【請求項３９】
前記ＩＰアドレスは、臨時アドレス（ＣｏＡ）であることを特徴とする、請求項３８に記載の網アドレス設定方法。
【請求項４０】
移動通信システムで網アドレスを設定できる移動端末であって、
前記移動端末の上位階層及び同種の網及び異種の網のうちの一つ以上への／からのメッセージを管理するための単一化したインターフェースと、
前記同種の網及び異種の網のうちの一つ以上に前記移動端末のハンドオーバーを行う手段と、
データを通信するために前記同種の網及び異種の網のうちの一つ以上のための前記移動端末の網アドレスを設定するための要請を、前記上位階層内で前記単一化したインターフェースから受信する手段と、
前記同種の網及び異種の網のうちの一つ以上のための前記網アドレスを設定する手段と、
を備える移動端末。
【発明の詳細な説明】
【技術分野】
【０００１】
本発明は、移動通信システムで移動端末の網（ｎｅｔｗｏｒｋ）アドレスを設定することに係り、より具体的には、移動端末がある網から他の網へハンドオーバーする際に網アドレスを設定することに関する。
【背景技術】
【０００２】
現在、標準委員会ＩＥＥＥ８０２．２１は、異種網間の媒介体独立ハンドオーバー（ｍｅｄｉａ  ｉｎｄｅｐｅｎｄｅｎｔ  ｈａｎｄｏｖｅｒ；ＭＩＨ）に関る国際標準についての深い研究を行っている。ＭＩＨは、シームレスなハンドオーバーを提供する他、移動端末を持っているユーザへより大きな便宜を提供する異種網間のサービス連続性も提供する。ＩＥＥＥ  ８０２．２１は、様々な機能（すなわち、ＭＩＨ機能、イベント（ｅｖｅｎｔ）サービス、コマンド（ｃｏｍｍａｎｄ）サービス及び情報サービス（ｉｎｆｏｒｍａｔｉｏｎ  ｓｅｒｖｉｃｅ；ＩＳ）を基本要求事項として定義する。
【０００３】
移動端末（ｍｏｂｉｌｅ  ｔｅｒｍｉｎａｌ；ＭＳＳ）は、二つ以上のインターフェース（ｉｎｔｅｒｆａｃｅ）タイプを支援するマルチモードノード（ｎｏｄｅ）のことをいう。例えば、マルチモードノードはＩＥＥＥ８０２．３標準規格に基盤するイーザーネット（Ｅｔｈｅｒｎｅｔ（登録商標））のような有線（ｗｉｒｅｄ）インターフェース（ｉｎｔｅｒｆａｃｅ）タイプ（または、有線ライン（ｗｉｒｅ−ｌｉｎｅ）インターフェースタイプ）、ＩＥＥＥ  ８０２．ＸＸ標準規格（広帯域無線接続網システム、無線ＬＡＮ、有線ＬＡＮ及びセルラーシステムインターフェース）に基盤する無線インターフェースタイプ及びセルラー（ｃｅｌｌｕｌａｒ）標準機構（例えば、３ＧＰＰまたは３ＧＰＰ２）によって定義される他のインターフェースのような様々なインターフェースを支援できる。
【０００４】
一般媒介体独立ハンドオーバー機能（Ｍｅｄｉａ  Ｉｎｄｅｐｅｎｄｅｎｔ  Ｈａｎｄｏｖｅｒ  Ｆｕｎｃｔｉｏｎ；ＭＩＨＦ）参照モデルが、図１に示されている。同図面において、他の階層及び遠隔（ｒｅｍｏｔｅ）ＭＩＨＦとの相互作用のためのＭＩＨＦ構造が示されている。ＭＩＨＦが非同期及び同期サービスを下位階層及び上位階層に提供するために、プリミティブ（ｐｒｉｍｉｔｉｖｅ）と共にＭＩＨ＿ＭＧＭＴ＿ＳＡＰ、ＭＩＨ＿ＳＭＥ＿ＳＡＰ及びＭＩＨ＿ＳＡＰのようなサービスアクセスポイント（Ｓｅｒｖｉｃｅ  Ａｃｃｅｓｓ  Ｐｏｉｎｔ；ＳＡＰ）が定義される。ＭＩＨ＿ＭＧＭＴ＿ＳＡＰは、ＭＩＨＦ及び他の網インターフェースの管理平面（管理エンティティ（ｅｎｔｉｔｙ））間でのインターフェースを定義し、ＭＩＨプロトコルメッセージをピア（ｐｅｅｒ）ＭＩＨＦエンティティだけでなくＭＩＨＦ及びローカル（ｌｏｃａｌ）リンク階層エンティティ間で伝達するのに用いられる。ＭＩＨ＿ＳＡＰは、ＭＩＨＦ及び装置管理者、ハンドオーバー政策制御機能、伝達（ｔｒａｎｓｐｏｒｔ）、階層３（Ｌ３）移動性管理プロトコルなどのようなより高い階層エンティティ間におけるインターフェースを定義し、ＭＩＨ構成及び動作のために用いられる。
【０００５】
ＭＩＨ＿ＳＭＥ＿ＳＡＰは、ＭＩＨＦとステーション管理エンティティ（Ｓｔａｔｉｏｎ  Ｍａｎａｇｅｍｅｎｔ  Ｅｎｔｉｔｙ）または網管理システム（Ｎｅｔｗｏｒｋ  Ｍａｎａｇｅｍｅｎｔ  Ｓｙｓｔｅｍ）間におけるインターフェースを定義し、ＭＩＧ構成及び動作のために用いられる。
【０００６】
図２は、マルチモード移動局を示す構造図である。図２に示すように、マルチモード移動局はそれぞれ別個のモードのための物理（ＰＨＹ）階層及び媒体接近制御（Ｍｅｄｉｕｍ  Ａｃｃｅｓｓ  Ｃｏｎｔｒｏｌ；ＭＡＣ）階層を含み、ＩＰ階層の下に媒介体独立ハンドオーバー（ＭＩＨ）階層を位置させる。
【０００７】
媒介体独立ハンドオーバー（ＭＩＨ）は、ＩＥＥＥ  ８０２シリーズインターフェース間で定義される、または、ＩＥＥＥ  ８０２シリーズインターフェース及び非８０２シリーズインターフェース（例えば、３ＧＰＰ及び３ＧＰＰ２）間で定義されなければならない。また、移動（ｍｏｂｉｌｅ）ＩＰ及びセッション開始プロトコル（Ｓｅｓｓｉｏｎ  Ｉｎｉｔｉａｔｉｏｎ  Ｐｒｏｔｏｃｏｌ；ＳＩＰ）のような上位階層の移動性を支援するためのプロトコルは、ハンドオーバー機能及びサービスの連続性のために支援されなければならない。
【０００８】
ＭＩＨ機能はＩＰ階層の下に位置し、２番目の階層（階層２）から受信した入力値（すなわち、トリガー（ｔｒｉｇｇｅｒ）イベント及び他の網と関連した情報）を用いてハンドオーバープロセスを促す。ＭＩＨ機能は、ハンドオーバープロセスに影響を与えるようなユーザ政策及び構成の両方に基盤する複数個の入力値を含むことができる。移動ＩＰ、セッション開始プロトコル（Ｓｅｓｓｉｏｎ  Ｉｎｉｔｉａｔｉｏｎ  Ｐｒｏｔｏｃｏｌ；ＳＩＰ）のような３番目の階層（階層３）エンティティ及びＭＩＨ階層間の一般インターフェースが定義される。この場合に、前述したインターフェースは、１番目の階層（すなわち、物理階層）、２番目の階層（すなわち、ＭＡＣ階層）及び移動性管理情報を提供する。ＭＩＨ機能はイベント及び情報サービス（Ｉｎｆｏｒｍａｔｉｏｎ  Ｓｅｒｖｉｃｅ；ＩＳ）機能を用いて下位階層及び網と関連した情報を獲得する。
【０００９】
上位階層は、状態のモニタリング（Ｍｏｎｉｔｏｒｉｎｇ）のための上位管理エンティティと移動局に属する様々なリンクの動作を含み、ハンドオーバー制御機能及び装置管理者機能を行う。この場合に、ハンドオーバー制御機能及び装置管理者はそれぞれ独立した他の箇所に位置しても良く、または、ハンドオーバー制御機能及び装置管理者は上位階層内の上位管理エンティティとして含まれても良い。
【００１０】
移動ＩＰを支援するための網構造は、ホームエージェント（Ｈｏｍｅ  Ａｇｅｎｔ；ＨＡ）、外部エージェント（Ｆｏｒｅｉｇｎ  Ａｇｅｎｔ；ＦＡ）及び移動加入者局（Ｍｏｂｉｌｅ  Ｓｕｂｓｃｒｉｂｅｒ  Ｓｔａｔｉｏｎ；ＭＳＳ）を含む。エージェント発見機能、登録機能及びルーティング（ｒｏｕｔｉｎｇ）機能のような様々な機能が移動ＩＰの動作のために要求される。
【００１１】
エージェント発見機能は、移動端末自身が他の網に移動したか否かを認識できるように、移動端末がそれ自身のホームネットワークまたは外部ネットワークに接続されているか否かを移動端末が判定するようにする方法を表す。
【００１２】
登録機能によれば、移動端末が他の網に移動すると、登録機能が高度の適応可能なメカニズムを提供するような方式で、ホームエージェントに現在の位置情報を転送し、移動端末がいかなる変化無しにホーム網からサービスを受信するようにする。
【００１３】
ルーティング機能は、移動端末が外部網に接続される、または、接続しようとする時に移動端末に／から転送された／受信されたデータグラム（ｄａｔａｇｒａｍ）を適切にルーティングするのに要求される様々な機能を定義する。
【００１４】
移動ＩＰは、移動端末が他のサブネット（ｓｕｂｎｅｔ）へ移動するときに臨時アドレス（ｔｅｍｐｏｒａｙ  ａｄｄｒｅｓｓ又はＣａｒｅ  ｏｆ  Ａｄｄｒｅｓｓ（ＣｏＡ））を設定するための２つの登録手順を提供する。例えば、２つの登録手順は、ＦＡ−ＣｏＡ及びｃｏ−ｌｏｃａｔｅｄ  ＣｏＡである。
【００１５】
ＦＡ−ＣｏＡが用いられると、ＣｏＡは、エージェント広告（ａｄｖｅｒｔｉｓｅｍｅｎｔ）メッセージを介して外部エージェント（ＦＡ）から供給され、外部エージェントのＩＰアドレスは臨時アドレス（ＣｏＡ）として用いられる。ｃｏ−ｌｏｃａｔａｅｄ  ＣｏＡが用いられると、移動端末は、外部網に位置した動的ホスト構成プロトコル（Ｄｙｎａｍｉｃ  Ｈｏｓｔ  Ｃｏｎｆｉｇｕｒａｔｉｏｎ  Ｐｒｏｔｏｃｏｌ；ＤＨＣＰ）サーバを介して臨時アドレス（ＣｏＡ）を受信する。
【００１６】
ＤＨＣＰは、網管理者がそれらの網機構（ｏｒｇａｎｉｚａｔｉｏｎ）中に含まれた網で必要なＩＰアドレスを集中的に管理／割当するようにするプロトコルのことをいう。コンピュータユーザが機構内のインターネットへの接続を獲得すると、ＩＰアドレスは個々のコンピュータに割り当てられなければならない。網管理者が集中的にＩＰアドレスを管理／割当し、コンピュータが網外部の他の箇所からインターネットに接続されると、ＤＨＣＰは自動的に新しいＩＰアドレスを転送する。
【００１７】
ＤＨＣＰは、与えられたＩＰアドレスがあらかじめ定められた時間周期にのみ該当のコンピュータで有効となるように制御するレンタル（ｒｅｎｔａｌ）（または、リース（ｌｅａｓｅ）；以下、‘貸与’という）手法を採択する。貸与時間は、特定の箇所でユーザによって要求されるインターネット接続時間によって変化されることができる。ＤＨＣＰはまた、利用可能なＩＰアドレスよりも多いコンピュータが使われる時に、網を動的に再構成するようにＩＰアドレス貸与時間を減らすことができる。
【００１８】
もし、システムが動作を始めると、複数のクライアント（ｃｌｉｅｎｔ）はＤＨＣＰサーバからそれらのシステムのための固有なＩＰアドレスを要請する。各クライアントがＤＨＣＰサーバから自分のＩＰアドレスを受信すると、ＴＣＰ／ＩＰセットアップ（ｓｅｔｕｐ）は開始され、クライアントはＴＣＰ／ＩＰプロトコルを用いて他のホストと通信をする。ＤＨＣＰサーバは、割当可能なＩＰアドレス（すなわち、２０３．２２４．２９．１０〜２０３．２２４．２９．１００）の範囲を維持／管理するように、ＤＨＣＰクライアントのＩＰアドレス貸与要請に応答する。
【００１９】
下記の表１に、ＤＨＣＰメッセージフォーマットを示す。
【００２０】
【表１】
2008532359.tif 000003
下記の表２には、ＤＨＣＰメッセージの様々なタイプと使用を示す。
【００２１】
【表２】
2008532359.tif 000004
移動ＩＰｖ６システム動作のための主要な構成要素及び個々の主要な構成要素の機能を次に説明する。
【００２２】
移動ノード（ｍｏｂｉｌｅ  ｎｏｄｅ；ＭＮ）は、自身の網接続を切り換えるためのホスト（ｈｏｓｔ）またはルータ（ｒｏｕｔｅｒ）である。対応ノード（ｃｏｒｒｅｓｐｏｎｄｅｎｔ  ｎｏｄｅ；ＣＮ）は、移動ノード（ＭＮ）と通信するホストまたはルータである。ホームエージェント（ＨＡ）はルータとして機能し、ホーム網中に含まれたルータから得られた移動ノードの登録情報を持つ。したがって、ホームエージェント（ＨＡ）は、外部網に含まれた移動ノード（ＭＮ）の現在位置にデータグラムを転送することができる。
【００２３】
臨時アドレス（ＣｏＡ）は、移動ノードが外部ノードや外部エージェント（ＦＡ）への移動時に、移動ノードに接続されたＩＰアドレスのことを表す。“バインディング（Ｂｉｎｄｉｎｇ）”とは、移動ノードが対応ノードのホームアドレスとホームエージェント内に登録されたＣｏＡとが一致する特定の動作のことをいう。“バインディング更新（Ｂｉｎｄｉｎｇ  Ｕｐｄａｔｅ；ＢＵ）メッセージ”は、移動ノードそれ自身がホームエージェント（ＨＡ）及び対応ノード（ＣＮ）に移動ノードのＣｏＡを知らせる時に使われるメッセージのことをいう。“バインディング確認（Ｂｉｎｄｉｎｇ  Ａｃｋｎｏｗｌｅｄｇｅ；ＢＡＣＫ）”メッセージは、前述した“ＢＵ”メッセージへの応答メッセージを表す。“バインディング要請（Ｂｉｎｄｉｎｇ  Ｒｅｑｕｅｓｔ；ＢＲ）”メッセージは、対応ノード（ＣＮ）が、移動ノードのバインディング情報のためのタイマーが満了した時に“ＢＵ”メッセージを受信できなった場合に“ＢＵ”メッセージを要請するためのメッセージである。
【００２４】
移動ノード（ＭＮ）は、移動中の周辺（ｎｅｉｇｈｂｏｒ）発見機能及びアドレス自動構成機能を用いて位置情報を自動で構成する。対応ノード（ＣＮ）がバインディング情報を保存すると、対応ノードはルータ最適化（Ｒｏｕｔｅｒ  Ｏｐｔｉｍｉｚａｔｉｏｎ）が行われるのと同じ方式で、ホームエージェントを介して通過（ｐａｓｓｉｎｇ）無しで移動ノードと直接通信する。
【００２５】
ＩＰアドレス自動構成方法は、ＤＨＣＰサーバのようなサーバを用いてアドレスを獲得するための状態−保存−タイプアドレス自動構成方法、及び移動ノードが自分でアドレスを生成できるようにホストを制御するための非状態−タイプアドレス自動構成方法のような２つのアドレス自動構成方法に分類される。
【００２６】
状態−保存−タイプアドレス自動構成方法は、ホストがＤＨＣＰサーバからアドレスを要請するという条件でサーバからホストに割り当て可能な複数のアドレス中の一つを割り当てるようになっている。非状態−タイプアドレス自動構成方法は、移動ノードがアドレスを形成するように、移動ノードのインターフェースＩＤ情報を、ルータから獲得されたプリフィクス（ｐｒｅｆｉｘ）情報またはよく知られたプリフィクス情報と結合する。
【００２７】
ＤＨＣＰｖ６は、ＩＰｖ６システムのためのＤＨＣＰプロトコルのことを表し、状態−保存−タイプアドレス自動構成方法を支援する。ＤＨＣＰｖ６は、ＩＰアドレス、様々な情報（すなわち、ルーティング情報）及び網資源管理機能が少ない数のＤＨＣＰサーバに集中され、保存費用の減少につながる特別なメカニズムを示す。
【００２８】
ＤＨＣＰｖ６は、“Ａｌｌ＿ＤＨＣＰ＿Ｒｅｌａｙ＿Ａｇｅｎｔｓ＿ａｎｄ＿Ｓｅｒｖｅｒｓ”アドレス及び“Ａｌｌ＿ＤＨＣＰ＿Ｓｅｒｖｅｒｓ”アドレスのような二つのマルチキャストアドレスを採択する。
【００２９】
“Ａｌｌ＿ＤＨＣＰ＿Ｒｅｌａｙ＿Ａｇｅｎｔｓ＿ａｎｄ＿Ｓｅｒｖｅｒｓ”アドレスは、エージェントのリンクローカルアドレスが知られないという条件でクライアントがリンク内に属したエージェントと通信するように、クライアントによって用いられるリンクローカルマルチキャストアドレスのことを表す。この場合に、全てのサービス及びエージェントは上記のマルチキャストグループのメンバーとして働く。
【００３０】
“Ａｌｌ＿ＤＨＣＰ＿Ｓｅｒｖｅｒｓ”アドレスは、クライアントまたはリレイがサーバと通信できるように、クライアントまたはリレイ（ｒｅｌａｙ）が全てのサーバにメッセージを転送したり、サーバのユニキャストアドレスを認識できない時に、クライアントまたはリレイによって用いられるサイト（ｓｉｔｅ）ローカルマルチキャストアドレスのことを表す。クライアントが上述の“Ａｌｌ＿ＤＨＣＰ＿Ｓｅｒｖｅｒｓ”アドレスを使用するようにするために、クライアントは、サーバが到着するのに充分な範囲のアドレスを持たなければならない。この場合に、サイト中の全てのサーバは、上述のマルチキャストグループのメンバーとして働く。
【００３１】
例えば、“ＳＯＬＩＣＩＴ”メッセージ、“ＡＤＶＥＲＴＩＳＥ”メッセージ、“ＲＥＱＵＥＳＴ”メッセージ、“ＲＥＰＬＹ”メッセージ、“ＲＥＮＥＷ”メッセージ及び“ＲＥＬＥＡＳＥ”メッセージのような様々なメッセージが、ＤＨＣＰｖ６の基本的な動作のために用いられることができる。
【００３２】
“ＳＯＬＩＣＩＴ”メッセージは、クライアントがサーバの位置情報を認識するように調節され、“Ａｌｌ＿ＤＨＣＰ＿Ｓｅｒｖｅｒｓ”アドレスによってマルチタスキング（ｍｕｌｔｉｔａｓｋ）される。“ＡＤＶＥＲＴＩＳＥ”メッセージは、“ＳＯＬＩＣＩＴ”メッセージに対する応答メッセージのことを表す。可能な限り、ＤＨＣＰサーバは“ＳＯＬＩＣＩＴ”メッセージに応答する。“ＲＥＱＵＥＳＴ”メッセージは、クライアントによって選択されたサーバから、ＩＰアドレスを備えた構成パラメータを獲得するように構成され、“Ａｌｌ＿ＤＨＣＰ＿Ｒｅｌａｙ＿Ａｇｅｎｔｓ＿ａｎｄ＿Ｓｅｒｖｅｒｓ”アドレスによってマルチタスキングされる。“ＲＥＰＬＹ”メッセージは、前述した“ＲＥＱＵＥＳＴ”、“ＲＥＮＥＷ”及び“ＲＥＬＥＡＳＥ”メッセージに対する応答メッセージを表す。“ＲＥＮＥＷ”メッセージは、クライアントが初期に割り当てられたクライアントアドレス及び構成パラメータの寿命を獲得した時に要請されるメッセージのことを表す。“ＲＥＬＥＡＳＥ”メッセージは、クライアントがサーバに一つ以上のＩＰアドレスを戻す時に要請されるメッセージを表す。
【００３３】
図３は、ＭＩＨ構造及び転送プロトコルを示す。異種（ｈｅｔｅｒｏｇｅｎｅｏｕｓ）の網及びハンドオーバー技術を、図３を参照しつつ説明する。図３に示すように、ＭＩＨ機能は、ＩＰ階層の下に位置し、２番の階層（Ｌａｙｅｒ  ２）から受信した入力値（すなわち、他の網と関連したトリガーイベント及び情報）を用いてハンドオーバープロセスを促進する。
【００３４】
ＭＩＨ機能は、ハンドオーバープロセスに影響を与えうるユーザ政策及び構成の両方に基盤した複数の入力値を含むことができる。移動ＩＰ、セッション開始プロトコル（Ｓｅｓｓｉｏｎ  Ｉｎｉｔｉａｔｉｏｎ  Ｐｒｏｔｏｃｏｌ；ＳＩＰ）のような３番目の階層（Ｌａｙｅｒ  ３）エンティティ及びＭＩＨ階層間の一般インターフェースが定義される。この場合に、前述したインターフェースは、１番目の階層（すなわち、物理階層）、２番目の階層（すなわち、ＭＡＣ階層）及び移動性管理情報を提供する。ＭＩＨ機能は、イベント及び情報サービス（ＩＳ）機能を用いて下位階層及び網と関連した情報を獲得する。したがって、上位階層は、含まれた様々なリンクの状態を監督／制御するためのＭＩＨ機能を含まなければならない。図３の点線は、例えば、プリミティブ（ｐｒｉｍｉｔｉｖｅ）情報及びイベントトリガーを示す。
【００３５】
図４は、イベントトリガーを示す図である。ハンドオーバー機能を早く行うために、網階層が迅速に接続状態を再設定するように網階層はリンク階層から生成された情報を使用しなければならない。リンク階層イベントは、ユーザの移動を予想するようになっており、移動端末及び網がハンドオーバー機能を用意することを助ける。
【００３６】
図４に示すように、ハンドオーバーのためのトリガー（ｔｒｉｇｇｅｒ）は、物理（ＰＨＹ）階層及びＭＡＣ階層から開始されることができる。トリガーソースは、ローカルスタックまたは遠隔スタックになるように決定されることができる。イベントトリガーは、現在信号の状態情報、他の網の状態変化情報及び将来予測された変化情報を提供する。イベントトリガーはまた、物理及びＭＡＣ階層の変化情報または特定網の属性変化情報を含む。
【００３７】
イベントタイプは、例えば、物理（ＰＨＹ）階層イベント、ＭＡＣ階層イベント、管理イベント、３番目の階層（Ｌ３）イベント、及び、アプリケーション（ａｐｐｌｉｃａｔｉｏｎ）イベントに分類されることができる。
【００３８】
図５は、現在接続リンクから新しいリンクへのリンクセットアップ過程が行われるまで生成されるトリガーを示す。基本的なトリガーイベント（すなわち、例えば“Ｌｉｎｋ＿Ｕｐ”イベント、“Ｌｉｎｋ＿Ｄｏｗｎ”イベント、“Ｌｉｎｋ＿Ｇｏｉｎｇ＿Ｄｏｗｎ”イベント、“Ｌｉｎｋ＿Ｇｏｉｎｇ＿Ｕｐ”イベント、“Ｌｉｎｋ＿Ｅｖｅｎｔ＿Ｒｏｌｌｂａｃｋ”イベント、“Ｌｉｎｋ＿Ａｖａｉｌａｂｌｅ”イベント、“Ｌｉｎｋ＿Ｐａｒａｍｅｔｅｒｓ＿Ｃｈａｎｇｅ”イベント、“ＩＰ＿Ｒｅｎｅｗａｌ＿Ｉｎｄｉｃａｔｉｏｎ”イベント、“ＩＰ＿Ｒｅｎｅｗａｌ＿Ｒｅｑｕｅｓｔ”イベント）は、図５を参照して以下に説明される。
【００３９】
“Ｌｉｎｋ＿Ｕｐ”イベントは、２番目の階層（Ｌ２）接続が特定のリンクインターフェース上で設定され、上位階層が３番目の階層（Ｌ３）パケットを転送できる時に発生する。この場合に、リンク中に含まれた全てのＬ２階層が完全に構成されたものと判定される。“Ｌｉｎｋ＿Ｕｐ”イベントのソース（ｓｏｕｒｃｅ）は、“ローカルＭＡＣ”及び“遠隔ＭＡＣ”に該当する。下記の表３は、“Ｌｉｎｋ＿Ｕｐ”イベントのパラメータを示す。
【００４０】
【表３】
2008532359.tif 000005
“Ｌｉｎｋ＿Ｄｏｗｎ”イベントは、Ｌ２接続が特定のインターフェース上で解除され、Ｌ３パケットがあて先に転送されない時に発生する。“Ｌｉｎｋ＿Ｄｏｗｎ”イベントのソース（ｓｏｕｒｃｅ）は、ローカルＭＡＣを表す。下記の表４は、“Ｌｉｎｋ＿Ｄｏｗｎ”イベントのパラメータを示す。
【００４１】
【表４】
2008532359.tif 000006
“Ｌｉｎｋ＿Ｇｏｉｎｇ＿Ｄｏｗｎ”イベントは、Ｌ２接続が予め定められた時間内に“Ｌｉｎｋ＿Ｄｏｗｎ”状態に入ると予想される時に発生し、ハンドオーバープロセスを初期化するための信号としての役割を果たすことができる。“Ｌｉｎｋ＿Ｇｏｉｎｇ＿Ｄｏｗｎ”のソースは、“Ｌｏｃａｌ  ＭＡＣ”及び“Ｒｅｍｏｔｅ  ＭＡＣ”に該当する。下記の表５に、“Ｌｉｎｋ＿Ｇｏｉｎｇ＿Ｄｏｗｎ”イベントのパラメータを示す。
【００４２】
【表５】
2008532359.tif 000007
“Ｌｉｎｋ＿Ｇｏｉｎｇ＿Ｕｐ”イベントは、予め定められた時間内でＬ２接続が“Ｌｉｎｋ＿Ｕｐ”状態に進入すると予想される時に発生し、長い周期の時間が網を初期化するのに消費される時に用いられる。“Ｌｉｎｋ＿Ｇｏｉｎｇ＿Ｕｐ”イベントのソースは、“Ｌｏｃａｌ  ＭＡＣ”及び“Ｒｅｍｏｔｅ  ＭＡＣ”に該当する。下記の表６は、“Ｌｉｎｋ＿Ｇｏｉｎｇ＿Ｕｐ”イベントのパラメータを示す。
【００４３】
【表６】
2008532359.tif 000008
“Ｌｉｎｋ＿Ｅｖｅｎｔ＿Ｒｏｌｌｂａｃｋ”イベントは、“Ｌｉｎｋ＿Ｇｏｉｎｇ＿Ｄｏｗｎ”イベントと“Ｌｉｎｋ＿Ｇｏｉｎｇ＿Ｕｐ”イベントとを結合することによって形成される。“Ｌｉｎｋ＿Ｅｖｅｎｔ＿Ｒｏｌｌｂａｃｋ”イベントは、“Ｌｉｎｋ＿Ｇｏｉｎｇ＿Ｕｐ”イベントまたは“Ｌｉｎｋ＿Ｇｏｉｎｇ＿Ｄｏｗｎ”イベントがあて先に転送される条件で、特定の時間内で“Ｌｉｎｋ＿ＵＰ”イベントまたは“Ｌｉｎｋ＿Ｄｏｗｎ”イベントがそれ以上生成されないと予想される時に生成されるトリガーを表す。“Ｌｉｎｋ＿Ｅｖｅｎｔ＿Ｒｏｌｌｂａｃｋ”イベントのソースは、“Ｌｏｃａｌ  ＭＡＣ”及び“Ｒｅｍｏｔｅ  ＭＡＣ”に該当する。下記の表７に、“Ｌｉｎｋ＿Ｅｖｅｎｔ＿Ｒｏｌｌｂａｃｋ”イベントのパラメータを示す。
【００４４】
【表７】
2008532359.tif 000009
“Ｌｉｎｋ＿Ａｖａｉｌａｂｌｅ”イベントは、新しい特定リンクの利用可能な状態を表し、新しい基地局（ＢＳ）または新しい接続点（Ｐｏｉｎｔ  ｏｆ  Ａｔｔａｃｈｍｅｎｔ；ＰＯＡ）が、現在移動端末の接続された現在ＢＳまたは現在ＰＯＡに比べて品質上より優れたリンクを提供するようにする可能性を表す。“Ｌｉｎｋ＿Ａｖａｉｌａｂｌｅ”イベントのソースは、“Ｌｏｃａｌ  ＭＡＣ”及び“Ｒｅｍｏｔｅ  ＭＡＣ”に該当する。下記の表８に、“Ｌｉｎｋ＿Ａｖａｉｌａｂｌｅ”イベントのパラメータを示す。
【００４５】
【表８】
2008532359.tif 000010
“Ｌｉｎｋ＿Ｐａｒａｍｅｔｅｒ＿Ｃｈａｎｇｅ”イベントは、リンクパラメータ値の変化が特定臨界レベルよりも高い時に生成されるイベントのことを表す。“Ｌｉｎｋ＿Ｐａｒａｍｅｔｅｒ＿Ｃｈａｎｇｅ”イベントは、例えば、リンク速度（すなわち、リンクレート（ｒａｔｅ））、ＱｏＳ（サービス品質）及び暗号化された値などリンク階層パラメータを含む。“Ｌｉｎｋ＿Ｐａｒａｍｅｔｅｒ＿Ｃｈａｎｇｅ”イベントのソースは、“Ｌｏｃａｌ  ＭＡＣ”及び“Ｒｅｍｏｔｅ  ＭＡＣ”に該当する。下記の表９に、“Ｌｉｎｋ＿Ｐａｒａｍｅｔｅｒ＿Ｃｈａｎｇｅ”イベントのパラメータを示す。
【００４６】
【表９】
2008532359.tif 000011
情報サービス（Ｉｎｆｏｒｍａｔｉｏｎ  Ｓｅｒｖｉｃｅ；ＩＳ）は、網発見及び網選択の両方のために要請される網と関連した詳細な情報を提供し、他の網のユーザによって自由に接続可能なように設計されなければならない。情報サービスは、例えば、リンク接続パラメータ、保安メカニズム、近隣（ｎｅｉｇｈｂｏｒｈｏｏｄ）マップ、位置、サービスプロバイダを示す情報及び他の接続情報のような様々な情報構成要素及びリンク費用（すなわち、ｃｏｓｔ  ｏｆ  ｌｉｎｋ）を含まなければならない。
【００４７】
図６は、“Ｌｉｎｋ  Ｅｖｅｎｔ”モデル及び“ＭＩＨ  Ｅｖｅｎｔ”モデルを示す構造図である。図６に示すように、ＭＩＨイベントは、ＭＩＨから上位管理者エンティティまたは上位階層に転送されたイベントのことを表し、既存のイベントトリガーに該当する。リンクイベントは、下位階層（すなわち、ＭＡＣ階層または物理（ＰＨＹ）階層）からＭＩＨに転送されたイベントのことを表し、個々のインターフェースＭＡＣまたは物理階層で使用するためのプリミティブ（ｐｒｉｍｉｔｉｖｅ）を使用する。
【００４８】
図７は、“Ｒｅｍｏｔｅ  Ｌｉｎｋ  Ｅｖｅｎｔ”モデルを示す構造図である。図７に示すように、ローカルスタック中に含まれた下位階層（ＭＡＣまたはＰＨＹ）がリンクイベントを生成し、ローカルスタック中に含まれたＭＩＨにリンクイベントを転送すると、ローカルスタックのＭＩＨは、遠隔スタックのＭＩＨにリンクイベントを転送する。
【００４９】
図８は、“Ｒｅｍｏｔｅ  ＭＩＨ  Ｅｖｅｎｔ”モデルを示す構造図である。図８に示すように、ローカルスタックのＭＩＨ機能は遠隔ＭＩＨイベントを生成し、遠隔スタック中に含まれた対応（ｃｏｕｎｔｅｒｐａｒｔ）ＭＩＨ機能に遠隔ＭＩＨイベントを転送する。遠隔スタックのＭＩＨ機能は、遠隔スタック中に含まれた上位管理エンティティまたは上位階層に受信されたイベントを転送する。同様に、遠隔スタックのＭＩＨ機能は、ローカルスタックのＭＩＨ機能へのイベントを生成し、ローカルスタックのＭＩＨ機能は、ローカルスタックの上位階層に前述のイベントを転送する。
【００５０】
図９は、“ＭＩＨ  ｃｏｍｍａｎｄ”モデル及び“Ｌｉｎｋ  Ｃｏｍｍａｎｄ”モデルを示す構造図である。図９に示すように、ＭＩＨ命令（ＭＩＨ  ｃｏｍｍａｎｄ）は、ＭＩＨに命令して特定の作業を行うように、上位管理エンティティまたは上位階層から生成され、以降ＭＩＨ機能に転送される。リンク命令（ｃｏｍｍａｎｄ）は、下位階層に命令して特定の作業を行うように、ＭＩＨ機能から生成され、以降下位階層に転送される。
【００５１】
図１０は、“Ｒｅｍｏｔｅ  ＭＩＨ  ｃｏｍｍａｎｄ”モデルを示す構造図である。図１０に示すように、遠隔ＭＩＨ命令（ｒｅｍｏｔｅ  ＭＩＨ  ｃｏｍｍａｎｄ）は、上位管理エンティティまたは上位階層から生成され、以降ＭＩＨ機能に転送される。ＭＩＨ機能は、受信したＭＩＨ命令を遠隔スタック中に含まれた対応ＭＩＨ機能に転送する。同様に、遠隔スタック中に含まれた上位階層は命令を生成し、該命令を遠隔スタックのＭＩＨ機能に転送し、遠隔スタックのＭＩＨ機能は当該命令をローカルスタックのＭＩＨ機能に転送する。
【００５２】
図１１は、“Ｒｅｍｏｔｅ  Ｌｉｎｋ  Ｃｏｍｍａｎｄ”モデルを示す構造図である。図１１に示すように、ローカルスタック中に含まれたＭＩＨ機能は、遠隔リンク命令（Ｒｅｍｏｔｅ  Ｌｉｎｋ  Ｃｏｍｍａｎｄ）を生成し、該遠隔リンク命令を遠隔スタック中に含まれた対応ＭＩＨ機能に転送する。
【００５３】
遠隔スタック中に含まれたＭＩＨ機能は、遠隔スタック中に含まれた下位階層に遠隔リンク命令を転送する。同様に、遠隔スタック中に含まれたＭＩＨ機能は命令を生成し、該命令をローカルスタックのＭＩＨ機能に転送し、ローカルスタックのＭＩＨ機能は当該命令をローカルスタックの下位階層に転送する。
【００５４】
図１２は、移動ＩＰｖ４システムの動作を示す図である。図１２に示すように、移動ＩＰｖ４は、上位階層にクリア（ｃｌｅａｒ）な移動性を提供できるように、様々な機能（すなわち、移動ホスト機能、ホームエージェント（ＨＡ）機能及び外部エージェント（ＦＡ）機能）を付加的に要求する。
【００５５】
しかしながら、ルータまたは経路が最適化されないと、移動端末と通信する対応ノードが他のものに変更される必要がない。この場合に、移動ホストは、移動性の支援されるＩＰホストを示す。ホームエージェントは、移動ホストと関連した位置情報を維持し、移動ホストのトンネリング（ｔｕｎｎｅｌｉｎｇ）を行うためのルータとしての役割を果たす。外部エージェントは、外部網で移動性を支援するためのルータを示す。
【００５６】
次に、図１２に示すジーン移動ＩＰｖ４システムの動作について説明する。図１２に示すように、移動ホストは、Ｓ１１１段階において、自分のホーム網から外部網へ移動する。その後、移動ホストは、移動ホストが移動したことを認識するように、外部網から現在放送された広告（ａｄｖｅｒｔｉｓｅｍｅｎｔ）メッセージを受信する。その後、移動ホストはＳ１１２段階において、ホーム網のホームエージェント（ＨＡ）内で移動ホストの現位置を表す臨時アドレス（ｔｅｍｐｏｒａｒｙ  ａｄｄｒｅｓｓまたはＣａｒｅ  ｏｆ  Ａｄｄｒｅｓｓ（ＣｏＡ））を登録する。
【００５７】
この場合に、臨時アドレス（ＣｏＡ）は、外部エージェントのＩＰアドレス（すなわち、外部エージェント（ＦＡ）−ＣｏＡ）と同一である、または、ｃｏ−ｌｏｃａｔｅｄ  ＣｏＡと同一であり得るもので、外部網内のＤＨＣＰを介して移動ホストに臨時的に割り当てられる。
【００５８】
外部部分から移動ホストに転送されたパケットは、ホーム網に転送される。これらのパケットはＳ１１３段階において、移動端末の移動を認識しているホームエージェントによってインターセプトされる。これらのパケットをインターセプトしたホームエージェントは、ＦＡ−ＣｏＡが使われるという条件の下に移動ホストに転送されたパケットのあて先アドレスを外部エージェント（ＦＡ）のアドレスと設定し、ＦＡアドレスを表すあて先アドレスをカプセル化（ｅｎｃａｐｓｕｌａｔｅ）し、該カプセル化したアドレスをＳ１１４段階で転送する。
【００５９】
その後、これらのカプセル化された転送パケットは、外部エージェント（ＦＡ）に転送される。その後、外部エージェント（ＦＡ）は受信したパケットを元来パケットに復旧するために逆カプセル化（ｄｅ−ｃａｐｔｓｕｌａｔｅ）し、最後に、元来パケットをＳ１１５段階で移動ホストに転送する。
【００６０】
移動ホストから対応ホストに転送されたパケットは、外部エージェント（ＦＡ）を介して直接的に転送されることができるということに注目しなければならない。イングレスフィルタリング（ｉｎｇｒｅｓｓ  ｆｉｌｔｅｒｉｎｇ）問題が発生すると、上記のパケットはまた、逆方向トンネル（ｒｅｖｅｒｓｅ  ｔｕｎｎｅｌ）を介して転送されることができる。
【００６１】
移動ＩＰのために要求される主要な機能は、例えば、エージェント発見機能、登録機能及びルーティング機能であり、その詳細を次に説明する。
【００６２】
エージェント発見は、移動端末が自分が他の網に移動したか否かを認識できるように、移動端末が自分のホーム網または外部網に接続されているかを判定するようにする方法を示す。
【００６３】
移動ＩＰは、既存のインターネット制御メッセージプロトコル（Ｉｎｔｅｒｎｅｔ  Ｃｏｎｔｒｏｌ  Ｍｅｓｓａｇｅ  Ｐｒｏｔｏｃｏｌ；ＩＣＭＰ）ルータ発見（すなわち、ＩＥＴＦ  ＲＦＣ  １２５６）を、所望のエージェントを発見するために拡張する。エージェント（すなわち、ホームエージェント及び外部エージェント）によって周期的に放送されるエージェント広告メッセージは、“ＩＣＭＰルータ広告（ＩＣＭＰ  Ｒｏｕｔｅｒ  Ａｄｖｅｒｔｉｓｅｍｅｎｔ）”メッセージ中に“移動性エージェント広告拡張（Ｍｏｂｉｌｉｔｙ  Ａｇｅｎｔ  Ａｄｖｅｒｔｉｓｅｍｅｎｔ  Ｅｘｔｅｎｓｉｏｎ）”メッセージを含み、“移動性エージェント広告拡張”メッセージを含む“ＩＣＭＰルータ広告”メッセージを転送する。移動端末がエージェントをサーチする時に転送される“エージェント要請（Ａｇｅｎｔ  Ｓｏｌｉｃｉｔａｔｉｏｎ）”メッセージは、既存の“ＩＣＭＰルータ要請（ＩＣＭＰ  Ｒｏｕｔｅｒ  Ｓｏｌｉｃｉｔａｔｉｏｎ）”メッセージと同じ方法を採用する。
【００６４】
移動端末が他の網に移動すると、登録機能は、現在位置情報をホームエージェントに転送し、移動端末がいかなる変化無しにホーム網からサービスを受信できるようにする。
【００６５】
移動ＩＰは、二つの登録手順、例えば、ＦＡ−ＣｏＡ及びｃｏ−ｌｏｃａｔｅｄ  ＣｏＡを提供する。移動端末がＦＡ−ＣｏＡを使用すると、移動端末は外部エージェント（ＦＡ）を介して登録を行う。移動端末がｃｏ−ｌｏｃａｔｅｄ  ＣｏＡを使用すると、移動端末はホームエージェントへの登録を直接行う。
【００６６】
ルーティング（ｒｏｕｔｉｎｇ）機能は、移動端末が外部網に接続または接近する際に移動端末に／から転送された／受信されたデータグラム（ｄａｔａｇｒａｍ）を適切にルーティングするために要求される様々な機能を定義する。データグラムは、ユニキャストパケット、マルチキャストパケット及びブロードキャストパケットを含む。
【００６７】
次に、ＤＨＣＰ動作について説明する。ＤＨＣＰを正しく動作させるためには、一つ以上のＤＨＣＰサーバ及び単一ＤＨＣＰクライアントが対応する網内に含まれなければならない。また、網はＴＣＰ／ＩＰアドレスの範囲の他にもゲートウエーアドレス及びサブネットマスクもさらに含まなければならない。ＤＨＣＰクライアントは、動作中にＤＨＣＰサーバからＴＣＰ／ＩＰアドレス情報を獲得する。
【００６８】
しかしながら、獲得されたＴＣＰ／ＩＰアドレスは、永続的でないことに注目しなければならない。ＤＨＣＰサーバは、クライアントに周期的に満了または周期的に更新されることのできる貸与（ｌｅａｓｅ）アドレスを提供する。
【００６９】
複数のクライアントＤＨＣＰ状態、すなわち、初期化状態（ｉｎｉｔｉａｌｉｚａｔｉｏｎ  ｓｔａｔｅ；ＩＮＴ）、選択状態（ｓｅｌｅｃｔｉｎｇ  ｓｔａｔｅ；ＳＥＬＥＣＴＩＮＧ）、要請状態（ｒｅｑｕｅｓｔｉｎｇ  ｓｔａｔｅ；ＲＥＱＵＥＳＴＩＮＧ）、バインディング状態（ｂｉｎｄｉｎｇ  ｓｔａｔｅ；ＢＯＵＮＤ）、更新状態（ｒｅｎｅｗｉｎｇ  ｓｔａｔｅ；ＲＥＮＥＷＩＮＧ）及びリバインディング状態（ｒｅｂｉｎｄｉｎｇ  ｓｔａｔｅ；ＲＥＢＩＮＤＩＮＧ）などがある。ＤＨＣＰクライアントは、それぞれの段階が一つの状態と呼ばれる、複数のハンドシェーク（ｈａｎｄｓｈａｋｅ）段階によって貸与アドレスを獲得／維持する。
【００７０】
図１３は、ＤＨＣＰクライアント−サーバモデルの動作を示すフローチャート（ｆｌｏｗｃｈａｒｔ）であり、ＤＨＣＰクライアントが自動的にＩＰアドレスをＤＨＣＰサーバから受信するようにする方法を示す。図１３に示すように、Ｓ１２１段階においてクライアントは、“ＤＨＣＰＤＩＳＣＯＶＥＲ”パケットを周辺サーバに放送する。各サーバがクライアントから“ＤＨＣＰＤＩＳＣＯＶＥＲ”パケットを受信すると、これらの受信した“ＤＨＣＰＤＩＳＣＯＶＥＲ”パケットに応答してＳ１２２段階で応答信号として“ＤＨＣＰＯＦＦＥＲ”パケットを転送する。
【００７１】
クライアントはＳ１２２段階で一つ以上のサーバから“ＤＨＣＰＯＦＦＥＲ”パケットを受信し、構成パラメータを要請するサーバの一つを選択し、Ｓ１２３段階で“ＤＨＣＰＲＥＱＵＥＳＴ”パケットを放送（ｂｒｏａｄｃａｓｔ）する。この場合に、“ＤＨＣＰＲＥＱＵＥＳＴ”パケットによって選択されないサーバは、クライアントがこれらのサーバの提供を拒絶したことを認識する。
【００７２】
“ＤＨＣＰＲＥＱＵＥＳＴ”パケットによって選択されたサーバは、“ＤＨＣＰＡＣＫ”パケット内にアドレス構成情報を含み、“ＤＨＣＰＡＣＫ”パケットをアドレス構成情報と共にＳ１２４段階で応答信号としてクライアントに転送する。クライアントは、選択したサーバから“ＤＨＣＰＡＣＫ”パケットを受信すると、アドレスを構成する（ｃｏｎｓｔｒｕｃｔ）。しかし、クライアントが“ＤＨＣＰＮＡＫ”パケットを受信すると、クライアントは前述の過程を再開始する。また、クライアントは、Ｓ１２５段階で貸与したアドレスを返すために“ＤＨＣＰＲＥＬＥＡＳＥ”パケットをサーバに転送することができる。
【００７３】
図１４は、移動ＩＰｖ６システムの動作を示すフローチャートである。図１４に示すように、移動ノード（ＭＮ）が段階０においてサブネットＡから他のサブネットＢに移動すると、移動ノード（ＭＮ）は段階１においてルータ広告（ＲＡ）メッセージのプリフィクス（ｐｒｅｆｉｘ）情報及びＮＵＤ（Ｎｅｉｇｈｂｏｒ  Ｕｎｒｅａｃｈａｂｌｅ  Ｄｅｔｅｃｔｉｏｎ）メカニズムを用いて移動ノード（ＭＮ）が他のサブネットＢに移動したことを認識する。
【００７４】
移動ノード（ＭＮ）は段階２において、前述したアドレス自動構成方法を用いて臨時アドレス（ＣｏＡ）を単独で獲得する。その後、移動ノード（ＭＮ）は段階３において、ホームエージェントが獲得されたＣｏＡを認識するように、バインディング更新（Ｂｉｎｄｉｎｇ  Ｕｐｄａｔｅ；ＢＵ）メッセージを転送する。
【００７５】
“ＢＵ”メッセージを受信したホームエージェント（ＨＡ）は、移動ノードのホームアドレスを臨時アドレス（ＣｏＡ）と結合（または、バインド）し、段階４において“ＢＡＣＫ”メッセージを“ＢＵ”メッセージに対する応答信号として転送する。
【００７６】
移動ノード（ＭＮ）と初めて通信する対応ノード（ＣＮ）は、あて先アドレスを移動ノード（ＭＮ）のホームアドレスと設定するように、移動ノードが他のサブネットに移動したことを認識せず、段階５において結果パケットをホームエージェント（ＨＡ）に転送する。
【００７７】
その後、移動ノード（ＭＮ）を管理するためのホームエージェントは対応ノード（ＣＮ）のパケットをインターセプトし、段階６において移動ノードの現在位置にパケットのトンネリング（ｔｕｎｎｅｌｉｎｇ）を行う。移動ノードがトンネリングされたパケットを受信すると、パケットを転送した対応ノード（ＣＮ）がバインディング情報（ｂｉｎｄｉｎｇ  ｉｎｆｏｒｍａｔｉｏｎ）を持っていないと判定し、段階７において、対応ノード（ＣＮ）に移動ノード（ＭＮ）のＣｏＡを知らせるために、対応ノード（ＣＮ）に“ＢＵ”メッセージを転送する。
【００７８】
移動ノードのＣｏＡを受信した対応ノード（ＣＮ）は、バインディング情報を保存し、段階８においてバインディング情報を用いて移動ノード（ＭＮ）と直接通信する。
【００７９】
図１５は、ＤＨＣＰｖ６の動作を示すフローチャートである。図１５に示すように、クライアントは、段階（１）においてサーバの位置情報を認識するために“ＳＯＬＩＣＩＴ”メッセージを“Ａｌｌ＿ＤＨＣＰ＿Ｓｅｒｖｅｒｓ”アドレスに転送する。その後、個々のＤＨＣＰｖ６サーバはプリフィクス情報を含む“ＡＤＶＥＲＴＩＳＥ”メッセージを段階（２）で“ＳＯＬＩＣＩＴ”メッセージの応答として出力する。
【００８０】
その後、クライアントは、ＤＨＣＰｖ６サーバの一つを選択し、選択されたサーバに“ＲＥＱＵＥＳＴ”メッセージを転送し、同時に、段階（３）で付加的な構成パラメータを要請する。その後、選択されたＤＨＣＰｖ６サーバは段階（４）で“ＲＥＱＵＥＳＴ”メッセージの応答として“ＲＥＰＬＹ”メッセージを出力する。
【００８１】
“ＲＥＰＬＹ”メッセージを受信したクライアントは、既存の構成パラメータ及び割り当てられたアドレスの寿命を更新するように、ＤＨＣＰｖ６サーバに“ＲＥＮＥＷ”メッセージを転送し、段階（５）でＴ１タイマーの動作を開始する。ここで、参照シンボル“Ｔ１”は、現在アドレスの寿命を増加させるためにクライアントが旧アドレスを獲得したサーバに接続する特定の時間のことを示す。
【００８２】
その後、ＤＨＣＰｖ６サーバは、他の“ＲＥＰＬＹ”メッセージを段階（６）で“ＲＥＮＥＷ”メッセージの応答信号として転送する。最後に、クライアントは段階（７）で、対応するアドレスが解除されるように、割り当てられたアドレスがそれ以上使われない時に“ＲＥＬＥＡＳＥ”メッセージを出力する。
【００８３】
図１６は、マルチモード移動端末があるインターフェース網から他のインターフェース網にハンドオーバーされる時の臨時アドレス（ＣｏＡ）再設定（ｒｅ−ｓｅｔｕｐ）手順を示すフローチャートである。マルチモード移動端末は移動性管理を行うために移動ＩＰｖ４システムまたは移動ＩＰｖ６システムを使用することができる。移動ＩＰｖ４は、臨時アドレス（ＣｏＡ）としてＦＡ−ＣｏＡまたはｃｏ−ｌｏｃａｔｅｄ  ＣｏＡを使用することができる。移動ＩＰｖ６は、状態−保存−タイプアドレスまたは非状態−保存−タイプアドレスを臨時アドレス（ＣｏＡ）として使用することができる。
【００８４】
マルチモード移動端末が他のインターフェース網にハンドオーバーされる時の臨時アドレス（ＣｏＡ）を再設定するための方法が、図１６を参照して次に説明される。第一に、移動端末は現在インターフェース網のリンクと接続状態を設定する。高品質リンクが新しいインターフェース網のＭＡＣ階層から検出されると、移動端末はＭＩＨ機能に“Ｌｉｎｋ＿Ａｖａｉｌａｂｌｅ”トリガー信号を転送する。
【００８５】
新しいＭＡＣ階層は、新しい接続点（ｐｏｉｎｔ  ｏｆ  ａｔｔａｃｈｍｅｎｔ；ＰＯＡ）と接続状態を設定する。新しいＭＡＣ階層が新しいＰＯＡと接続状態を設定すると、新しいＭＡＣ階層は認証（ａｕｔｈｅｎｔｉｃａｔｉｏｎ）プロセスを行い、移動端末のＭＩＨ機能及び新しいＰＯＡのＭＩＨ機能にリンクセットアップ状態であることを知らせる。移動端末は、サブネットが他のサブネットに変更されたことを認識するように、周期的に外部エージェントの“Ａｇｅｎｔ  Ａｄｖｅｒｔｉｓｅｍｅｎｔ”メッセージを受信する。移動端末は、ホームエージェント（ＨＡ）内に臨時アドレス（ＦＡ−ＣｏＡ）を登録する。
【００８６】
マルチモード移動端末があるサブネットから現在接続インターフェース網内の他のサブネットにハンドオーバーされる、または、他のインターフェース網にハンドオーバーされ、サブネットアドレスが他のアドレスに変更されるとすれば、移動端末はＩＰ臨時アドレス（ＣｏＡ）再設定（ｒｅ−ｓｅｔｕｐ）手順を行わなければならない。しかしながら、従来技術によるマルチモード移動端末は、単に網階層情報のみを用いて前述したＩＰ臨時アドレス（ＣｏＡ）再設定手順を設定するようにデザインされている。したがって、アドレスが再設定される分、時間遅れが増加する。
【発明の開示】
【発明が解決しようとする課題】
【００８７】
本発明は、移動端末がある網から他の網へハンドオーバーされる時に移動端末の網アドレスを設定することに関する。
【００８８】
本発明の付加的な特徴及び長所は下記の説明で展開され、部分的には説明から明確になる、または、本発明の実現から習得可能になるだろう。本発明の目的及び他の長所は添付図面の他に、記載された説明及び請求項で特別に指摘された構造によって実現され獲得されることができる。
【課題を解決するための手段】
【００８９】
この文書で具体化され且つ幅広く説明された本発明の目的による上記の目的及び他の長所を達成するために、本発明の一実施例では、移動通信システムで移動端末の網アドレスを設定する方法において、同種（ｈｏｍｏｇｅｎｅｏｕｓ）の網及び異種（ｈｅｔｅｒｏｇｅｎｅｏｕｓ）の網のうちの一つ以上への／からのメッセージを管理するために前記移動端末の上位階層への単一化したインターフェースを設定する段階と、前記同種の網及び異種の網のうちの一つ以上に前記移動端末のハンドオーバーを行う段階と、データを通信するために前記同種の網及び異種の網のうちの一つ以上のための前記移動端末の網アドレスを設定するために、前記単一化したインターフェースからの要請を前記上位階層で受信する段階と、前記同種の網及び異種の網のうちの一つ以上のための前記網アドレスを設定する段階と、を含む構成とした。
【００９０】
好ましくは、前記網アドレスは、インターネットプロトコル（Ｉｎｔｅｒｎｅｔ  Ｐｒｏｔｏｃｏｌ；ＩＰ）アドレスである。好ましくは、前記上位階層内で要請を受信する前記段階は、前記移動端末のサブネットが変更された時に発生する。好ましくは、ハンドオーバーを行う前記段階は、現在網の媒体接近制御階層から前記同種の網及び異種の網のうちの一つ以上の媒体接近制御階層へのハンドオーバーを行う段階を含む。好ましくは、前記同種の網は、前記現在網である。
【００９１】
本発明の一様相において、前記設定方法は、データを通信するために前記同種の網及び異種の網のうちの一つ以上のための前記移動端末の前記網アドレスを設定するか否かを表す指示（ｉｎｄｉｃａｔｉｏｎ）を、前記移動端末の媒体接近制御階層内で前記同種の網及び異種の網のうちの一つ以上から受信する段階をさらに含む。
【００９２】
本発明の他の様相において、前記設定方法は、データを通信するために前記同種の網及び異種の網のうちの一つ以上のための前記移動端末の前記網アドレスを設定するか否かを指示するために前記移動端末の媒体接近制御階層から前記単一化したインターフェースに指示子（ｉｎｄｉｃａｔｏｒ）を転送する段階をさらに含む。
【００９３】
好ましくは、前記単一化したインターフェースは、データを通信するために前記同種の網及び異種の網のうちの一つ以上のための前記移動端末の前記網アドレスを設定するか否かを決定する。好ましくは、前記上位階層は、移動性（ｍｏｂｉｌｉｔｙ）管理プロトコル及び上位管理エンティティ（ｅｎｔｉｔｙ）のうち一つ以上を含む。
【００９４】
本発明のさらに他の様相において、前記設定方法は、前記上位階層からの前記単一化したインターフェースに前記同種の網及び異種の網のうちの一つ以上のための前記網アドレスが設定されることを知らせる段階をさらに含む（ＩＰ＿ｌｉｎｋｓｅｔｕｐ＿ｃｏｍｐｌｅｔｅ）。
【００９５】
好ましくは、前記単一化したインターフェースは、媒介体独立ハンドオーバー（ｍｅｄｉａ  ｉｎｄｅｐｅｎｄｅｎｔ  ｈａｎｄｏｖｅｒ；ＭＩＨ）機能である。本発明の他の実施例によれば、前記同種の網及び異種の網のうちの一つ以上のために前記ＩＰアドレスを設定する前記段階は、前記同種の網及び異種の網のうちの一つ以上の外部エージェントに前記ＩＰアドレスを要請する段階と、前記外部エージェントから前記ＩＰアドレスを受信する段階と、前記同種の網及び異種の網のうちの一つ以上のための前記ＩＰアドレスをホーム網のホームエージェントに登録する段階と、を含む。好ましくは、前記ＩＰアドレスは、臨時アドレス（ｃａｒｅ  ｏｆ  ａｄｄｒｅｓｓ；ＣｏＡ）である。
【００９６】
本発明の他の実施例によれば、前記同種の網及び異種の網のうちの一つ以上のための前記ＩＰアドレスを設定する前記段階は、前記同種の網及び異種の網のうちの一つ以上の動的ホスト構成プロトコル（ｄｙｎａｍｉｃ  ｈｏｓｔ  ｃｏｎｆｉｇｕｒａｔｉｏｎ  ｐｒｏｔｏｃｏｌ；ＤＨＣＰ）サーバを発見して選択する段階と、前記同種の網及び異種の網のうちの一つ以上のための前記ＩＰアドレスを前記ＤＨＣＰサーバから要請する段階と、前記ＤＨＣＰサーバから前記ＩＰアドレスを受信する段階と、前記ＩＰアドレスをホーム網のホームエージェントに登録する段階と、を含む。好ましくは、前記ＩＰアドレスは、臨時アドレス（ＣｏＡ）である。
【００９７】
本発明の他の実施例によれば、前記同種の網及び異種の網のうちの一つ以上のための前記ＩＰアドレスを設定する前記段階は、前記同種の網及び異種の網のうちの一つ以上の接続ルータに前記同種の網及び異種の網のうちの一つ以上のための前記ＩＰアドレスの前記構成と関連したプリフィクス（ｐｒｅｆｉｘ）情報を要請する段階と、前記接続ルータから前記プリフィクス情報を受信する段階と、前記受信されたプリフィクス情報を用いて前記ＩＰアドレスを構成する段階と、前記ＩＰアドレスをホーム網のホームエージェントに登録する段階と、を含む。好ましくは、前記ＩＰアドレスは、臨時アドレス（ＣｏＡ）である。
【００９８】
本発明の他の実施例によれば、前記同種の網及び異種の網のうちの一つ以上のための前記ＩＰアドレスを設定する前記段階は、前記同種の網及び異種の網のうちの一つ以上の動的ホスト構成プロトコルｖ６（ＤＨＣＰｖ６）サーバを発見して選択する段階と、前記同種の網及び異種の網のうちの一つ以上のための前記ＩＰアドレスを前記ＤＨＣＰｖ６サーバから要請する段階と、前記ＤＨＣＰｖ６サーバから前記ＩＰアドレスを受信する段階と、前記ＩＰアドレスをホーム網のホームエージェントに登録する段階と、を含む。前記ＩＰアドレスは、臨時アドレス（ＣｏＡ）である。
【００９９】
本発明の他の実施例によれば、前記単一化したインターフェースから前記移動端末の網アドレスを設定するための要請を前記上位階層内で受信する前記段階は、ハンドオーバーを行う前に発生する。
【０１００】
本発明の一様相によれば、前記設定方法は、データを通信するために前記同種の網及び異種の網のうちの一つ以上のための前記移動端末の前記網アドレスを設定するか否かを表す指示（ｉｎｄｉｃａｔｉｏｎ）を、前記移動端末の媒体接近制御階層内で現在網から受信する段階をさらに含む。
【０１０１】
本発明の他の様相によれば、上記設定方法は、前記同種の網及び異種の網のうちの一つ以上と接続を設定する段階をさらに含む。好ましくは、前記接続を設定する段階は、前記移動端末の媒体接近制御階層と前記同種の網及び異種の網のうちの一つ以上の媒体接近制御階層間で接続を設定する段階を含む。
【０１０２】
好ましくは、前記網アドレスは、インターネットプロトコル（ＩＰ）アドレスである。好ましくは、前記移動端末の網アドレスを設定するための要請を、前記上位階層内で前記単一化したインターフェースから受信する前記段階は、前記移動端末のサブネットが変更された時に発生する。好ましくは、ハンドオーバーを行う前記段階は、現在網の媒体接近制御階層から前記同種の網及び異種の網のうちの一つ以上の媒体接近制御階層へのハンドオーバーを行う段階を含む。
【０１０３】
本発明のさらに他の様相では、上記設定方法は、データを通信するために前記同種の網及び異種の網のうちの一つ以上のための前記移動端末の前記網アドレスを設定するか否かを指示するための指示子を、前記移動端末の媒体接近制御階層から前記単一化したインターフェースに転送する段階をさらに含む。
【０１０４】
より好ましくは、前記単一化したインターフェースは、データを通信するために前記同種の網及び異種の網のうちの一つ以上のための前記移動端末の前記網アドレスを設定するか否かを決定する。好ましくは、前記上位階層は、移動性管理プロトコル及び上位管理エンティティのうち一つ以上を含む。
【０１０５】
本発明の他の様相によれば、前記設定方法は、前記上位階層から前記単一化したインターフェースに前記同種の網及び異種の網のうちの一つ以上のための前記網アドレスが設定されることを知らせる段階をさらに含む。
【０１０６】
好ましくは、前記単一化したインターフェースは、媒介体独立ハンドオーバー（ＭＩＨ）機能である。
【０１０７】
本発明の一様相によれば、前記同種の網及び異種の網のうちの一つ以上のために前記ＩＰアドレスを設定する前記段階は、前記同種の網及び異種の網のうちの一つ以上の外部エージェントに前記ＩＰアドレスを要請する段階と、前記外部エージェントから前記ＩＰアドレスを受信する段階と、前記同種の網及び異種の網のうちの一つ以上のための前記ＩＰアドレスをホーム網のホームエージェントに登録する段階と、を含む。前記ＩＰアドレスは、臨時アドレス（ｃａｒｅ  ｏｆ  ａｄｄｒｅｓｓ；ＣｏＡ）である。
【０１０８】
本発明の他の様相によれば、前記同種の網及び異種の網のうちの一つ以上のための前記ＩＰアドレスを設定する前記段階は、前記同種の網及び異種の網のうちの一つ以上の動的ホスト構成プロトコル（ｄｙｎａｍｉｃ  ｈｏｓｔ  ｃｏｎｆｉｇｕｒａｔｉｏｎ  ｐｒｏｔｏｃｏｌ；ＤＨＣＰ）サーバを発見して選択する段階と、前記同種の網及び異種の網のうちの一つ以上のための前記ＩＰアドレスを前記ＤＨＣＰサーバから要請する段階と、前記ＤＨＣＰサーバから前記ＩＰアドレスを受信する段階と、前記ＩＰアドレスをホーム網のホームエージェントに登録する段階と、を含む。前記ＩＰアドレスは、臨時アドレス（ＣｏＡ）である。
【０１０９】
本発明のさらに他の様相によれば、前記同種の網及び異種の網のうちの一つ以上のための前記ＩＰアドレスを設定する前記段階は、前記同種の網及び異種の網のうちの一つ以上の接続ルータに前記同種の網及び異種の網のうちの一つ以上のための前記ＩＰアドレスの前記構成と関連したプリフィクス情報を要請する段階と、前記接続ルータから前記プリフィクス情報を受信する段階と、前記受信したプリフィクス情報を用いて前記ＩＰアドレスを構成する段階と、前記ＩＰアドレスをホーム網のホームエージェントに登録する段階と、を含む。好ましくは、前記ＩＰアドレスは、臨時アドレス（ＣｏＡ）である。
【０１１０】
本発明のさらに他の様相によれば、前記同種の網及び異種の網のうちの一つ以上のための前記ＩＰアドレスを設定する前記段階は、前記同種の網及び異種の網のうちの一つ以上の動的ホスト構成プロトコルｖ６（ＤＨＣＰｖ６）サーバを発見して選択する段階と、前記同種の網及び異種の網のうちの一つ以上のための前記ＩＰアドレスを前記ＤＨＣＰｖ６サーバから要請する段階と、前記ＤＨＣＰｖ６サーバから前記ＩＰアドレスを受信する段階と、前記ＩＰアドレスをホーム網のホームエージェントに登録する段階と、
を含む。好ましくは、前記ＩＰアドレスは、臨時アドレス（ＣｏＡ）である。
【０１１１】
本発明の他の実施例によれば、移動通信システムで網アドレスを設定できる移動端末は、前記移動端末の上位階層及び同種の網及び異種の網のうちの一つ以上への／からのメッセージを管理するための単一化したインターフェースと、前記同種の網及び異種の網のうちの一つ以上に前記移動端末のハンドオーバーを行う手段と、データを通信するために前記同種の網及び異種の網のうちの一つ以上のための前記移動端末の網アドレスを設定するための要請を、前記上位階層内で前記単一化したインターフェースから受信する手段と、前記同種の網及び異種の網のうちの一つ以上のための前記網アドレスを設定する手段と、を備える。
【０１１２】
本発明についての上記の概括的な説明と下記の詳細な説明はいずれも例示的で説明的なものであり、請求されたように本発明についての追加的説明が提供されることができことは明らかである。
【産業上の利用可能性】
【０１１３】
本発明は、広帯域無線接続システムに適用されることができる。
【発明を実施するための最良の形態】
【０１１４】
本発明は、移動通信システムで移動端末がある網から他の網へハンドオーバーされる時に移動端末の網アドレスを設定することに関する。
【０１１５】
以下、添付の図面に基づき、本発明の好適な実施例について詳細に説明する。図面中、同一の構成要素には可能な限り同一の参照符号を付する。
【０１１６】
本発明は、以下、標準規格ＩＥＥＥ  ８０２．２１に関連して説明される。本発明のＩＰアドレス再設定（ｒｅ−ｓｅｔｕｐ）手順と関連したイベントサービス及びコマンドサービスについて以下に説明する。
【０１１７】
基地局のような移動端末の新しい接続点（ｐｏｉｎｔ  ｏｆ  ａｔｔａｃｈｍｅｎｔ；ＰＯＡ）は、“Ｌｉｎｋ＿Ｕｐ”トリガー信号を受信し、移動端末にＩＰパケットを転送するのに用いられるＩＰアドレスの変更または非変更された状態を知らせるために“ＩＰ＿Ｒｅｎｅｗａｌ＿Ｉｎｄｉｃａｔｉｏｎ”をトリガーする。好ましくは、前記ＩＰアドレスは、ＤＨＣＰシステムの場合には新しく割り当てられたＩＰアドレスに設定される。または、ＩＰアドレスは移動ＩＰｖ４システムの場合には新しい臨時アドレス（ＣｏＡ）に割り当てられる。また、ＩＰアドレスは、移動ＩＰｖ６システムの場合には自動構成（Ａｕｔｏｃｏｎｆｉｇｕｒａｔｉｏｎ）アドレスに設定される。“ＩＰ＿Ｒｅｎｅｗａｌ＿Ｉｎｄｉｃａｔｉｏｎ”イベントのソース（ｓｏｕｒｃｅ）は、“遠隔ＭＡＣ（Ｒｅｍｏｔｅ  ＭＡＣ）”及び“ＭＩＨ”に該当する。
【０１１８】
移動端末の以前ＰＯＡ（すなわち、基地局）は、移動端末が到着する新しいＰＯＡと通信し、移動端末のＩＰアドレスと関連さした情報を獲得し、移動端末にＩＰパケットを転送するのに用いられるＩＰアドレスの変化または非変化された状態及びトリガーされたイベントを前記移動端末に知らせるための“ＩＰ＿Ｒｅｎｅｗａｌ＿Ｉｎｄｉｃａｔｉｏｎ”イベントをトリガーする。好ましくは、ＩＰアドレスは、ＤＨＣＰシステムの場合には新しく割り当てられたＩＰアドレスに設定され、移動ＩＰｖ４システムの場合には新しい臨時アドレス（ＣｏＡ）に設定され、移動ＩＰｖ６システムの場合には自動構成アドレスに設定される。
【０１１９】
下記の表１０に、“ＩＰ＿Ｒｅｎｅｗａｌ＿Ｉｎｄｉｃａｔｉｏｎ”イベントのパラメータを示す。
【０１２０】
【表１０】
2008532359.tif 000012
アドレス再設定状態を示す“ＩＰ＿Ｒｅｎｅｗａｌ＿Ｉｎｄｉｃａｔｉｏｎ”トリガー信号を受信すると、移動端末のＭＩＨ機能は、“ＩＰ＿Ｒｅｎｅｗａｌ＿ＲｅｑｕｅｓｔＭＩＨ”イベントを、上位管理エンティティにＩＰ臨時アドレス（ＣｏＡ）を再設定するよう命令するために、移動性管理エンティティを含む上位管理エンティティに転送する。ＭＩＨ機能が上位管理エンティティに“ＩＰ＿Ｒｅｎｅｗａｌ＿Ｉｎｄｉｃａｔｉｏｎ”イベントを転送すると、“ＩＰ＿Ｒｅｎｅｗａｌ＿Ｉｎｄｉｃａｔｉｏｎ”イベントは、“ＩＰ＿Ｒｅｎｅｗａｌ＿Ｒｅｑｕｅｓｔ  ＭＩＨ”イベントのメッセージフォーマットと同一のメッセージフォーマットを持つ。“ＩＰ＿Ｒｅｎｅｗａｌ＿Ｉｎｄｉｃａｔｉｏｎ”イベントのソースは、ローカルＭＡＣ（Ｌｏｃａｌ  ＭＡＣ）階層及びＭＩＨに該当する。
【０１２１】
下記の表１１に、“ＩＰ＿Ｒｅｎｅｗａｌ＿Ｒｅｑｕｅｓｔ”イベントのパラメータを示す。
【０１２２】
【表１１】
2008532359.tif 000013
上位管理エンティティがＭＩＨ機能から“ＩＰ＿Ｒｅｎｅｗａｌ＿Ｒｅｑｕｅｓｔ”イベントを受信すると、ＩＰＣｏＡ再設定手順を完了した後に“ＩＰ＿Ｌｉｎｋｓｅｔｕｐ＿Ｃｏｍｐｌｅｔｅ”イベントをＭＩＨ機能に転送する。“ＩＰ＿Ｌｉｎｋｓｅｔｕｐ＿Ｃｏｍｐｌｅｔｅ”イベントのソースは、遠隔ＭＡＣ階層に該当する。下記の表１２に、“ＩＰ＿ＬｉｎｋＳｅｔｕｐ＿Ｃｏｍｐｌｅｔｅ”イベントのパラメータを示す。
【０１２３】
【表１２】
2008532359.tif 000014
次に、ＩＰアドレス再設定手順と関連したイベント／コマンドサービス及びマルチモード移動端末のスタック間の関係について説明する。
【０１２４】
図１７は、本発明の一実施例による、マルチモード移動端末のプロトコルスタック及びＩＰアドレスセットアップトリガー動作を示す図である。
【０１２５】
マルチモード移動端末のハンドオーバーされる新しい網が以前網のＩＰアドレスを使用できないと、“ＩＰ＿Ｒｅｎｅｗａｌ＿Ｉｎｄｉｃａｔｉｏｎ”イベントは、前記網タイプに依存する複数の方法の一つによるＭＩＨ機能に転送される。第一の方法によれば、ＭＡＣ階層メッセージ（すなわち、Ｌ２メッセージ）は、新しい網が以前網で用いられたアドレスを使用できることを示すことができる（ｉｎｄｉｃａｔｅ）。第二の方法によれば、ＭＡＣ階層メッセージは、新しい網が以前網によって用いられたアドレスを使用できないことを示すことができる。
【０１２６】
第一の方法では、ＩＰアドレス再設定（ｒｅ−ｓｅｔｕｐ）状態を示すＭＡＣ階層メッセージは、該メッセージがＭＡＣ階層から生成されるように、２番目の階層（Ｌ２）に転送される。
【０１２７】
第二の方法では、２番目の階層（Ｌ２）は、マルチモード移動端末のハンドオーバーによってＩＰアドレス再設定（ｒｅ−ｓｅｔｕｐ）が要求されるか否かが判定できない。したがって、網に含まれたＭＩＨ機能（すなわち、接続されるＰＯＡまたは基地局）は、移動端末のＭＩＨ機能に上記状況を示す特定の情報を転送する。この場合、Ｌ２階層は、ＭＩＨ機能に当該メッセージを確実に転送する。
【０１２８】
前述した第一の方法は、標準規格ＩＥＥＥ  ８０２．１６のＨＯ  Ｐｒｏｃｅｓｓ  Ｏｐｔｉｍｉｚａｔｉｏｎ  ＴＬＶのビット＃３と関連付けられて行われることができる。ハンドオーバーが他の網で発生しても、上記第一の方法はビット＃３に類似する指示子（ｉｎｄｉｃａｔｏｒ）によって具現されることができる。
【０１２９】
新しいＩＰ階層アドレスが設定されると、“ＩＰ＿ＬｉｎｋＳｅｔｕｐ＿Ｃｏｍｐｌｅｔｅ”イベントは、ＭＩＨ機能に新しいＩＰ階層アドレスセットアップを知らせるトリガー信号を示し、ＭＩＨ機能に必要な動作を行うように命令する。例えば、“Ｍａｋｅ  Ｂｅｆｏｒｅ  Ｂｒｅａｋ”ハンドオーバーでは、以前網との接続（または、リンク）状態を維持できるＭＡＣ／ＰＨＹ階層の解除は、現在網への接続（または、リンク）状態が完全に設定される特定の時間に行われる。その後、ＩＰ移動プロトコルは、“ＩＰ＿ＬｉｎｋＳｅｔｕｐ＿Ｃｏｍｐｌｅｔｅ”イベントが上記特定の時間を指示するようになるように、ＩＰアドレスセットアップ過程を完了する。
【０１３０】
本発明の方法の動作は、移動ＩＰｖ４システムのＦＡ−ＣｏＡまたはｃｏ−ｌｏｃａｔｅｄ  ＣｏＡが臨時アドレス（ＣｏＡ）として用いられる第一の場合の動作に分類されることができる。第二の場合は、移動ＩＰｖ６システムの状態−保存−タイプアドレスまたは非状態−保存−タイプアドレスが臨時アドレス（ＣｏＡ）として用いられる動作を含む。
【０１３１】
次に、移動端末が他のインターフェース網にハンドオーバーされる時に、移動ＩＰｖ４システムのＦＡ−ＣｏＡをＣｏＡとして採用する方法について説明する。
【０１３２】
図１８は、本発明の一実施例による、サブネットが変更されるように移動端末が他のインターフェース網にハンドオーバーされる時に、移動ＩＰｖ４システムのＦＡ−ＣｏＡを臨時アドレス（ＣｏＡ）として用いてＩＰアドレスを再設定する方法を示すフローチャートである。
【０１３３】
図１８を参照すると、移動端末は、現在インターフェース網のリンクと接続状態を設定する。高品質リンクが新しいインターフェース網のＭＡＣ階層のような下位階層（ｌｏｗｅｒ  ｌａｙｅｒ；ＬＬ）から検出されると、移動端末は、“Ｌｉｎｋ＿Ａｖａｉｌａｂｌｅ”トリガー信号を移動端末のＭＩＨ機能に転送する。その後、新しいＭＡＣ階層（ＬＬ  Ｎｅｗ）は、新しい接続点（ＰＯＡ）と接続状態を設定する。新しいＭＡＣ階層が新しいＰＯＡと接続状態を設定すると、新しいＭＡＣ階層は認証プロセスを行い、移動端末のＭＩＨ機能及び新しいＰＯＡのＭＩＨ機能にリンクセットアップ（ｓｅｔｕｐ）状態を知らせる。
【０１３４】
新しいＰＯＡのＭＩＨ機能は、移動端末のサブネットが他のサブネットに変更される時に、ＣｏＡ再設定（ｒｅ−ｓｅｔｕｐ）プロセスを命令するための“ＩＰ＿Ｒｅｎｅｗａｌ＿Ｉｎｄｉｃａｔｉｏｎ”イベントを、移動端末のＭＩＨ機能に転送する。“ＩＰ＿Ｒｅｎｅｗａｌ＿Ｉｎｄｉｃａｔｉｏｎ”イベントがＣｏＡ再設定（ｒｅ−ｓｅｔｕｐ）プロセスを命令すると、移動端末のＭＩＨ機能は、網階層にＣｏＡを再設定するように命令するために、“ＩＰ＿Ｒｅｎｅｗａｌ＿Ｒｅｑｕｅｓｔ”トリガー信号を網階層（ｎｅｔｗｏｒｋ  ｌａｙｅｒ）のような移動端末の上位階層（ＨＬ）に転送する。
【０１３５】
移動端末の網階層が“ＩＰ＿Ｒｅｎｅｗａｌ＿Ｒｅｑｕｅｓｔ”トリガー信号を受信すると、網階層は、新しい臨時アドレス（ＣｏＡ）を獲得するために外部エージェント（ＦＡ）にエージェント要請（Ａｇｅｎｔ  Ｓｏｌｉｃｉｔａｔｉｏｎ）メッセージを転送する。外部エージェント（ＦＡ）は、エージェント要請（Ａｇｅｎｔ  Ｓｏｌｉｃｔａｔｉｏｎ）メッセージの応答として移動端末に“Ａｇｅｎｔ＿Ａｄｖｅｒｔｉｓｅｍｅｎｔ”メッセージを転送する。移動端末の網階層は、“Ａｇｅｎｔ＿Ａｄｖｅｒｔｉｓｅｍｅｎｔ”メッセージを受信すると、臨時アドレス（ＣｏＡ）をホームエージェント（ＨＡ）に登録する。ＣｏＡ再設定（ｒｅ−ｓｅｔｕｐ）プロセスを完了すると、移動端末の網階層は、移動端末のＭＩＨ機能に“ＩＰ＿Ｌｉｎｋｓｅｔｕｐ＿Ｃｏｍｐｌｅｔｅ”トリガーメッセージを転送する。
【０１３６】
次に、移動端末が他のインターフェース網にハンドオーバーされる時に移動ＩＰｖ４システムの“ｃｏ−ｌｏｃａｔｅｄ  ＣｏＡ”をＣｏＡとして採択する方法について説明する。
【０１３７】
図１９は、本発明の一実施例による、サブネットが変更されるように移動端末が他のインターフェース網にハンドオーバーされる時に、移動ＩＰｖ４システムの“ｃｏ−ｌｏｃａｔｅｄ  ＣｏＡ”をＣｏＡとして用いてアドレスを再設定する方法を示すフローチャートである。
【０１３８】
図１９を参照すると、移動端末が“ｃｏ−ｌｏｃａｔｅｄ  ＣｏＡ”を用いてＩＰ臨時アドレスを再設定し、新しい接続点（ＰＯＡ）のＭＩＨ機能からＣｏＡ再設定（ｒｅ−ｓｅｔｕｐ）状態を示す“ＩＰ＿Ｒｅｎｅｗａｌ＿Ｉｎｄｉｃａｔｉｏｎ”トリガー信号を受信すると、移動端末のＭＩＨ機能は、“ＩＰ＿Ｒｅｎｅｗａｌ＿Ｒｅｑｕｅｓｔ”トリガー信号を網階層に転送する。“ＩＰ＿Ｒｅｎｅｗａｌ＿Ｒｅｑｕｅｓｔ”トリガー信号を受信すると、移動端末の網階層は、臨時アドレス（ＣｏＡ）を受信するために“ＤＨＣＰ  Ｄｉｃｏｖｅｒｙ”メッセージを転送する。移動端末の網階層が臨時アドレスを受信すると、移動端末は、受信したＣｏＡをホームエージェント（ＨＡ）に登録する。ＣｏＡがホームエージェント（ＨＡ）に登録されると、移動端末の網階層はＭＩＨ機能に“ＩＰ＿Ｌｉｎｋｓｅｔｕｐ＿Ｃｏｍｐｌｅｔｅ”トリガー信号を転送する。
【０１３９】
次に、移動端末が他のインターフェース網にハンドオーバーされる時に移動ＩＰｖ６システムの“非状態−保存−タイプアドレス”をＣｏＡとして採択する方法について説明する。
【０１４０】
図２０は、本発明の一実施例による、サブネットが変更されるように移動端末が他のインターフェース網にハンドオーバーされる時に、移動ＩＰｖ６システムの“非状態−保存−タイプアドレス”を臨時アドレス（ＣｏＡ）として用いてアドレスを再設定する方法を示すフローチャートである。
【０１４１】
図２０に示すように、移動端末のサブネットが他のサブネットに変更されると、新しい接続点（ＰＯＡ）のＭＩＨ機能は、ＣｏＡ再設定過程を命令するための“ＩＰ＿Ｒｅｎｅｗａｌ＿Ｉｎｄｉｃａｔｉｏｎ”メッセージを移動端末のＭＩＨ機能に転送する。移動端末のＭＩＨ機能は、その後、網階層にＣｏＡを再設定するように命令するために網階層に“ＩＰ＿Ｒｅｎｅｗａｌ＿Ｒｅｑｕｅｓｔ”トリガー信号を転送する。移動端末の網階層が“ＩＰ＿Ｒｅｎｅｗａｌ＿Ｒｅｑｕｅｓｔ”トリガー信号を受信すると、新しい臨時アドレス（ＣｏＡ）を構成するために接続ルータに“Ｒｏｕｔｅｒ  Ｓｏｌｉｃｉｔａｔｉｏｎ”メッセージを転送する。
【０１４２】
好ましくは、ルータは、移動端末の“Ｒｏｕｔｅｒ  Ｓｏｌｉｃｉｔａｔｉｏｎ”メッセージに応答して自分のプリフィクス（ｐｒｅｆｉｘ）及び他のアドレス構成情報を移動端末に転送する。その後、移動端末は、移動端末がＣｏＡを設定するように、インターフェースＩＤと受信したプリフィクス情報とを結合する。好ましくは、移動端末は、“Ｎｅｉｇｈｂｏｒ  Ｓｏｌｉｃｉｔａｔｉｏｎ”メッセージ及び“Ｎｅｉｇｈｂｏｒ  Ａｄｖｅｒｔｉｓｅｍｅｎｔ”メッセージによって構成されたＣｏＡの衝突有無を判定する。移動端末が予め定められた時間周期に“Ｎｅｉｇｈｂｏｒ  Ａｄｖｅｒｔｉｓｅｍｅｎｔ”メッセージを受信しないと、構成されたＣｏＡの唯一性は、ＣｏＡが利用可能と判定されるように認証される。
【０１４３】
その後、移動端末は、バインディング更新（Ｂｉｎｄｉｎｇ  Ｕｐｄａｔｅ）メッセージを介して構成されたＣｏＡをホームエージェントに登録する。ホームエージェント（ＨＡ）は、バインディング確認（Ｂｉｎｄｉｎｇ  Ａｃｋｎｏｗｌｅｄｇｅｍｅｎｔ）メッセージをホームエージェント（ＨＡ）の前記バインディング更新（Ｂｉｎｄｉｎｇ  Ｕｐｄａｔｅ）メッセージの応答として転送する。移動端末は、前述したＨＡ登録過程を完了した後に、“ＩＰ＿Ｌｉｎｋｓｅｔｕｐ＿Ｃｏｍｐｌｅｔｅ”トリガー信号を移動端末のＭＩＨ機能に転送する。
【０１４４】
次に、移動端末が他のインターフェース網にハンドオーバーされる時に移動ＩＰｖ６システムの“状態−保存−タイプアドレス”をＣｏＡとして採択する方法について説明する。
【０１４５】
図２１は、本発明の一実施例による、サブネットが変更されるように移動端末が他のインターフェース網にハンドオーバーされる時に、移動ＩＰｖ６システムの状態−保存−タイプアドレスを臨時アドレス（ＣｏＡ）として用いてアドレスを再設定する方法を示すフローチャートである。
【０１４６】
図２１に示すように、移動端末のサブネットが他のサブネットに変更されると、新しい接続点（ＰＯＡ）のＭＩＨ機能は、ＣｏＡ再設定プロセスを命令するための“ＩＰ＿Ｒｅｎｅｗａｌ＿Ｉｎｄｉｃａｔｉｏｎ”メッセージを移動端末のＭＩＨ機能に転送する。その後、移動端末のＭＩＨ機能は、網階層にＣｏＡを再設定するように命令するために網階層に“ＩＰ＿Ｒｅｎｅｗａｌ＿Ｒｅｑｕｅｓｔ”トリガー信号を転送する。移動端末の網階層が“ＩＰ＿Ｒｅｎｅｗａｌ＿Ｒｅｑｕｅｓｔ”トリガー信号を受信すると、新しい臨時アドレス（ＣｏＡ）を構成するためにマルチキャストアドレスを介してＤＨＣＰｖ６サーバに“ＳＯＬＩＣＩＴ”メッセージを転送する。
【０１４７】
その後、ＤＨＣＰｖ６サーバは“ＳＯＬＩＣＩＴ”メッセージに応答して“ＡＤＶＥＲＴＩＳＥ”メッセージを転送する。“ＡＤＶＥＲＴＩＳＥ”メッセージを受信した移動端末は広告するサーバを選択し、付加的な構成パラメータを獲得するために“ＲＥＱＵＥＳＴ”メッセージを転送する。ＤＨＣＰｖ６サーバは、“ＲＥＱＵＥＳＴ”メッセージに応答して“ＲＥＰＬＹ”メッセージを転送する。好ましくは、移動端末はバインディング更新（Ｂｉｎｄｉｎｇ  Ｕｐｄａｔｅ）メッセージを介してＣｏＡをホームエージェント（ＨＡ）に登録するように、“ＲＥＰＬＹ”メッセージ内に含まれたＣｏＡを臨時アドレスとして採用する。
【０１４８】
その後、ホームエージェント（ＨＡ）は、バインディング更新（Ｂｉｎｄｉｎｇ  Ｕｐｄａｔｅ）メッセージに応答してバインディング確認（Ｂｉｎｄｉｎｇ  Ａｃｋｎｏｗｌｅｄｇｅｍｅｎｔ）メッセージを転送する。前述したＣｏＡセットアップ手順が完了すると、移動端末は、“ＩＰ＿Ｌｉｎｋｓｅｔｕｐ＿Ｃｏｍｐｌｅｔｅ”トリガー信号を移動端末のＭＩＨ機能に転送する。
【０１４９】
これらの上述した好ましい実施例は、サブネットが変更されるようにマルチモード移動端末が他のインターフェース網にハンドオーバーされる条件で移動ＩＰｖ４システム及び移動ＩＰｖ６システムを用いて臨時アドレスを再設定するための様々な方法を開示した。しかし、マルチモード移動端末が現在接続インターフェース網内に含まれた他のサブネットにハンドオーバーされても、前述したトリガー信号（すなわち、ＩＰ＿Ｒｅｎｅｗａｌ＿Ｉｎｄｉｃａｔｉｏｎ、ＩＰ＿Ｒｅｎｅｗａｌ＿Ｒｅｑｕｅｓｔ及びＩＰ＿Ｌｉｎｋｓｅｔｕｐ＿Ｃｏｍｐｌｅｔｅ）もまた臨時アドレス（ＣｏＡ）を再設定するように構成されることができる。
【０１５０】
図２２は、本発明の一実施例によるマルチモード移動端末のプロトコルスタック及びＩＰアドレスセットアップイベント／コマンドサービスの動作を示す図である。
【０１５１】
図２２に示すように、マルチモード移動端末のハンドオーバーされる新しい網が以前網のＩＰアドレスを使用できないと、移動端末のＭＡＣ階層は、“ＩＰ＿Ｒｅｎｅｗａｌ＿Ｉｎｄｉｃａｔｉｏｎ”メッセージを移動端末のＭＩＨ機能に転送する。“ＩＰ＿Ｒｅｎｅｗａｌ＿Ｉｎｄｉｃａｔｉｏｎ”メッセージを受信すると、ＭＩＨ機能は、移動端末の上位管理エンティティに、ＭＩＨイベントとしての役割を果たす“ＩＰ＿Ｒｅｎｅｗａｌ＿Ｒｅｑｕｅｓｔ”メッセージを転送する。これにより、ＭＩＨ機能は好ましく上位管理エンティティにＩＰアドレスを設定するように命令する。“ＩＰ＿Ｒｅｎｅｗａｌ＿Ｒｅｑｕｅｓｔ”メッセージを受信した上位管理エンティティは、ＩＰ階層を介してＩＰアドレスセットアップ過程を完了し、ＭＩＨコマンドとして機能する“ＩＰ＿ＬｉｎｋＳｅｔｕｐ＿Ｃｏｍｐｌｅｔｅ”メッセージをＭＩＨ機能に転送し、ＭＩＨ機能にＩＰアドレスセットアップ完了を知らせる。
【０１５２】
図２３は、本発明の一実施例による、上位管理エンティティが、サブネットが変更されるように移動端末が他のインターフェース網にハンドオーバーされる時に、移動ＩＰｖ４システムのＦＡ−ＣｏＡを臨時アドレス（ＣｏＡ）として用いてＩＰアドレスを再設定するようにする方法を示すフローチャートである。
【０１５３】
図２３に示すように、移動端末は、現在インターフェース網のリンクと接続状態を設定する。高品質リンクが新しいインターフェース網のＭＡＣ階層のような下位階層（ＬＬ）から検出されると、移動端末は、移動端末のＭＩＨ機能に“Ｌｉｎｋ＿Ａｖａｉｌａｂｌｅ”トリガー信号を転送する。その後、新しいＭＡＣ階層は、新しい接続点（ＰＯＡ）と接続状態を設定する。新しいＭＡＣ階層が新しいＰＯＡと接続状態を設定すると、新しいＭＡＣ階層は認証プロセスを行い、移動端末のＭＩＨ機能及び新しいＰＯＡのＭＩＨ機能にリンクセットアップ（ｓｅｔｕｐ）状態を知らせる。
【０１５４】
好ましくは、新しい接続点（ＰＯＡ）のＭＩＨ機能は、以降、移動端末のサブネットが他のサブネットに変更される時に移動端末のＭＩＨ機能に、ＣｏＡ再設定（ｒｅ−ｓｅｔｕｐ）プロセスを命令するためのリンクイベントとして役割を果たす“ＩＰ＿Ｒｅｎｅｗａｌ＿Ｉｎｄｉｃａｔｉｏｎ”メッセージを転送する。“ＩＰ＿Ｒｅｎｅｗａｌ＿Ｉｎｄｉｃａｔｉｏｎ”メッセージを受信した移動端末のＭＩＨ機能は、上位管理エンティティにＣｏＡを再設定するように命令するために“ＩＰ＿Ｒｅｎｅｗａｌ＿Ｒｅｑｕｅｓｔ”メッセージを上位管理エンティティに転送する。
【０１５５】
移動端末の上位管理エンティティが、ＭＩＨイベントとして役割を果たす“ＩＰ＿Ｒｅｎｅｗａｌ＿Ｒｅｑｕｅｓｔ”メッセージを受信すると、上位管理エンティティは、新しい臨時アドレス（ＣｏＡ）を獲得するために“Ａｇｅｎｔ  Ｓｏｌｉｃｉｔａｔｉｏｎ”メッセージを外部エージェント（ＦＡ）に転送する。その後、外部エージェント（ＦＡ）は、“Ａｇｅｎｔ  Ｓｏｌｉｃｉｔａｔｉｏｎ”メッセージに応答して“Ａｇｅｎｔ＿Ａｄｖｅｒｔｉｓｅｍｅｎｔ”メッセージを移動端末に転送する。移動端末の網階層は、“Ａｇｅｎｔ＿Ａｄｖｅｒｔｉｓｅｍｅｎｔ”メッセージを受信すると、臨時アドレス（ＣｏＡ）をホームエージェント（ＨＡ）に登録する。好ましくは、ＣｏＡ再設定（ｒｅ−ｓｅｔｕｐ）プロセスが完了すると、移動端末の上位管理エンティティは、移動端末のＭＩＨ機能に“ＩＰ＿Ｌｉｎｋｓｅｔｕｐ＿Ｃｏｍｐｌｅｔｅ”ＭＩＨコマンドを転送する。
【０１５６】
図２４は、本発明の一実施例による、サブネットが変更されるように移動端末が他のインターフェース網にハンドオーバーされる時に、上位管理エンティティが移動ＩＰｖ４システムのｃｏ−ｌｏｃａｔｅｄ  ＣｏＡを臨時アドレス（ＣｏＡ）として用いてアドレスを再設定するようにする方法を示すフローチャートである。
【０１５７】
図２４に示すように、移動端末が“ｃｏ−ｌｏｃａｔｅｄ  ＣｏＡ”を用いてＩＰ臨時アドレス（ＣｏＡ）を再設定し、新しい接続点のＭＩＨ機能からのＣｏＡ再設定（ｒｅ−ｓｅｔｕｐ）状態を示す“ＩＰ＿Ｒｅｎｅｗａｌ＿Ｉｎｄｉｃａｔｉｏｎ”メッセージ（リンクイベントとして機能する）を受信すると、移動端末のＭＩＨ機能は、移動端末の上位管理エンティティに“ＩＰ＿Ｒｅｎｅｗａｌ＿Ｒｅｑｕｅｓｔ”メッセージを転送する。“ＩＰ＿Ｒｅｎｅｗａｌ＿Ｒｅｑｕｅｓｔ”メッセージを受信すると、上位管理エンティティは、臨時アドレス（ＣｏＡ）を受信するために“ＤＨＣＰ  Ｄｉｓｃｏｖｅｒｙ”メッセージを転送する。上位管理エンティティがＤＨＣＰアドレス割当手順によって臨時アドレス（ＣｏＡ）を受信すると、移動端末は、受信したＣｏＡをホームエージェント（ＨＡ）に登録する。
【０１５８】
移動端末の上位管理エンティティがＩＰ階層を介してホームエージェント内でＣｏＡを登録すると、上位管理エンティティは、ＭＩＨコマンドとして機能する“ＩＰ＿Ｌｉｎｋｓｅｔｕｐ＿Ｃｏｍｐｌｅｔｅ”メッセージを移動端末のＭＩＨ機能に転送する。
【０１５９】
図２５は、本発明の一実施例による、サブネットが変更されるように移動端末が他のインターフェース網にハンドオーバーされる時に、上位管理エンティティが、移動ＩＰｖ６の非状態−保存−タイプアドレスを臨時アドレス（ＣｏＡ）として用いてアドレスを再設定するようにする方法を示すフローチャートである。
【０１６０】
図２５に示すように、移動端末のサブネットが他のサブネットに変更される時、新しい接続点のＭＩＨ機能は、ＣｏＡ再設定（ｒｅ−ｓｅｔｕｐ）プロセスを命令するためのリンクイベントとして機能する“ＩＰ＿Ｒｅｎｅｗａｌ＿Ｉｎｄｉｃａｔｉｏｎ”メッセージを、移動端末のＭＩＨ機能に転送する。移動端末のＭＩＨ機能は、その後、上位管理エンティティがＩＰ階層を通してＣｏＡを再設定するように命令するために“ＩＰ＿Ｒｅｎｅｗａｌ＿Ｒｅｑｕｅｓｔ”メッセージを上位管理エンティティに転送する。上位管理エンティティが“ＩＰ＿Ｒｅｎｅｗａｌ＿Ｒｅｑｕｅｓｔ”メッセージを受信すると、上位管理エンティティは新しい臨時アドレス（ＣｏＡ）を構成するために“Ｒｏｕｔｅｒ  Ｓｏｌｉｃｉｔａｔｉｏｎ”メッセージを接続ルータに転送する。
【０１６１】
好ましくは、前記ルータは移動端末の“Ｒｏｕｔｅｒ  Ｓｏｌｉｃｉｔａｔｉｏｎ”メッセージに応答するために移動端末にプリフィクス及び他のアドレス構成情報を転送する。移動端末は、移動端末がＣｏＡを設定するように、自分のインターフェースＩＤを受信したプリフィクス情報と結合する。好ましくは、移動端末は、“Ｎｅｉｇｈｂｏｒ  Ｓｏｌｉｃｉｔａｔｉｏｎ”メッセージ及び“Ｎｅｉｇｈｂｏｒ  Ａｄｖｅｒｔｉｓｅｍｅｎｔ”メッセージを用いて構成されたＣｏＡの衝突有無を判定する。移動端末が予め定められた時間周期に“Ｎｅｉｇｈｂｏｒ  Ａｄｖｅｒｔｉｓｅｍｅｎｔ”メッセージを受信しないと、構成されたＣｏＡの唯一性は、構成されたＣｏＡが利用可能と判定されるように認証される。
【０１６２】
移動端末は、“Ｂｉｎｄｉｎｇ  Ｕｐｄａｔｅ”メッセージを用いて自分のＣｏＡをホームエージェント（ＨＡ）に登録する。その後、ホームエージェント（ＨＡ）は、“Ｂｉｎｄｉｎｇ  Ｕｐｄａｔｅ”メッセージに応答して“Ｂｉｎｄｉｎｇ  Ａｃｋｎｏｗｌｅｄｇｅｍｅｎｔ”メッセージを転送する。移動端末は、前述したＨＡ登録プロセスを完了した後、ＭＩＨコマンドとして機能する“ＩＰ＿Ｌｉｎｋｓｅｔｕｐ＿Ｃｏｍｐｌｅｔｅ”メッセージを移動端末のＭＩＨ機能に転送する。
【０１６３】
図２６は、本発明の一実施例による、サブネットが変更されるように移動端末が他のインターフェース網にハンドオーバーされる時に、上位管理エンティティが移動ＩＰｖ６システムの状態−保存−タイプアドレスを臨時アドレス（ＣｏＡ）として用いてアドレスを再設するようにする方法を示すフローチャートである。
【０１６４】
図２６に示すように、移動端末のサブネットが他のサブネットに変更される時に、新しい接続点（ＰＯＡ）のＭＩＨ機能は、ＣｏＡ再設定（ｒｅ−ｓｅｔｕｐ）プロセスを命令するための（リンクイベントとしての役割を果たす）“ＩＰ＿Ｒｅｎｅｗａｌ＿Ｉｎｄｉｃａｔｉｏｎ”メッセージを、移動端末のＭＩＨ機能に転送する。移動端末のＭＩＨ機能は、その後、上位管理エンティティがＣｏＡを再設定するように命令するためにＭＩＨイベントとして機能する“ＩＰ＿Ｒｅｎｅｗａｌ＿Ｒｅｑｕｅｓｔ”メッセージを、上位管理エンティティに転送する。上位管理エンティティが“ＩＰ＿Ｒｅｎｅｗａｌ＿Ｒｅｑｕｅｓｔ”メッセージを受信すると、上位管理エンティティは、新しい臨時アドレス（ＣｏＡ）を構成するために“ＳＯＬＩＣＩＴ”メッセージをマルチキャストアドレスを介してＤＨＣＰｖ６サーバに転送する。
【０１６５】
その後、ＤＨＣＰｖ６サーバは、“ＳＯＬＩＣＩＴ”メッセージに応答して“ＡＤＶＥＲＴＩＳＥ”メッセージを移動端末に転送する。“ＡＤＶＥＲＴＩＳＥ”メッセージを受信した移動端末は広告するサーバを選択し、付加的な構成パラメータを獲得するために“ＲＥＱＵＥＳＴ”メッセージを転送する。その後、ＤＨＣＰｖ６サーバは、“ＲＥＱＵＥＳＴ”メッセージに応答して“ＲＥＰＬＹ”メッセージを転送する。好ましくは、移動端末はバインディング更新（Ｂｉｎｄｉｎｇ  Ｕｐｄａｔｅ）メッセージを介してＣｏＡをホームエージェント（ＨＡ）に登録するように、“ＲＥＰＬＹ”メッセージ内に含まれたＣｏＡを臨時アドレスとして採用する。
【０１６６】
その後、ホームエージェント（ＨＡ）は、バインディング更新（Ｂｉｎｄｉｎｇ  Ｕｐｄａｔｅ）メッセージに応答してバインディング確認（Ｂｉｎｄｉｎｇ  Ａｃｋｎｏｗｌｅｄｇｅｍｅｎｔ）メッセージを転送する。前述したＣｏＡセットアップ手順が完了すると、移動端末の上位管理エンティティは、ＭＩＨコマンドとして機能する“ＩＰ＿Ｌｉｎｋｓｅｔｕｐ＿Ｃｏｍｐｌｅｔｅ”メッセージを移動端末のＭＩＨ機能に転送する。
【０１６７】
図２７は、本発明の一実施例による、移動端末が他のインターフェース網にハンドオーバーされる前に以前の接続点（ＰＯＡ）からサブネットが変更されることを表す特定の情報を受信するための方法を示すフローチャートである。また、図２７は、本発明の一実施例による移動端末が他のインターフェース網にハンドオーバーされた後にＩＰアドレス再設定（ｒｅ−ｓｅｔｕｐ）手順を行うための方法を示す。
【０１６８】
図２７に示すように、以前接続点（ＰＯＡ）におけるリンク品質の悪化によって移動端末のハンドオーバーが要求される時、移動端末は、上位管理エンティティ及び現在接続点（ＰＯＡ）のＭＩＨ機能に遠隔“Ｌｉｎｋ＿Ｇｏｉｎｇ＿Ｄｏｗｎ”メッセージを介して悪化するリンク品質を知らせる。
【０１６９】
以前接続点（ＰＯＡ）が、通信のためのＩＰアドレスが移動端末が新しい接続点（ＰＯＡ）へ移動した後に変更されなければならないか否かを表す特定の情報を認識すると、以前のＰＯＡは、移動端末のＭＩＨ機能に“ＩＰ＿Ｒｅｎｅｗａｌ＿Ｉｎｄｉｃａｔｉｏｎ”メッセージを介して特定の情報を知らせる。その後、移動端末は直接的に上位管理エンティティに特定の情報を知らせることができる。または、移動端末は、上位管理エンティティに“ＩＰ＿Ｒｅｎｅｗａｌ＿Ｒｅｑｕｅｓｔ”メッセージを介して特定の情報を間接的に知らせることができる。移動端末がリンクセットアップ手順を用いて新しいＰＯＡとリンク状態を設定すると、移動端末は、以前ＰＯＡから獲得されたＩＰアドレスセットアップ情報を参照して迅速にＩＰアドレスセットアップ手順を行う。
【０１７０】
上述した好ましい実施例は、サブネットが変更できるようにマルチモード移動端末が他のインターフェース網にハンドオーバーされる条件の下に、移動ＩＰｖ４システム及び移動ＩＰｖ６システムを用いて臨時アドレス（ＣｏＡ）を再設定するための様々な方法を開示した。しかし、マルチモード移動端末が現在接続インターフェース網内に含まれた他のサブネットにハンドオーバーされても、前述したトリガー信号（すなわち、ＩＰ＿Ｒｅｎｅｗａｌ＿Ｉｎｄｉｃａｔｉｏｎ、ＩＰ＿Ｒｅｎｅｗａｌ＿Ｒｅｑｕｅｓｔ及びＩＰ＿Ｌｉｎｋｓｅｔｕｐ＿Ｃｏｍｐｌｅｔｅ）もまた臨時アドレスを再設定するようになることができる。
【０１７１】
上述の説明から明らかなように、本発明による臨時ＩＰアドレスを再設定するための方法は、マルチモード移動端末があるサブネットから網内の他のサブネットにハンドオーバーされる、または、サブネットが変更されるように他のインターフェース網にハンドオーバーされる条件下で時間遅延なく素早くＩＰ臨時アドレスを再設定する。
【０１７２】
本発明は以上では移動通信で説明されてきたが、本発明は、無線通信能力を備えたＰＤＡ及びラップトップコンピュータのような移動装置を使用するいずれの無線通信システムにおいても用いられることができる。また、本発明を説明するためのいずれの特定の用語の使用も、ＵＭＴＳのような無線通信システムの特定タイプに本発明の範囲を限定してはならない。本発明はまた、例えば、ＴＤＭＡ、ＣＤＭＡ、ＦＤＭＡ、ＷＣＤＭＡなどのような他の無線インターフェース及び／または物理階層を使用する他の無線通信システムにも適用可能である。
【０１７３】
好ましい実施例は、ソフトウェア、ファームウエア、ハードウェアまたはこれらのいずれの結合を生産するための標準プログラミング及び／またはエンジニアリング技術を用いて方法、装置または製造物として具現されることができる。ここで使用された製造物という用語は、ハードウェアロジック（ｌｏｇｉｃ）（すなわち、集積回路チップ、フィールドプログラマブルゲートアレイ（ＦＰＧＡ）、注文型半導体（ＡＳＩＣ）等）またはコンピュータ読み取り可能な媒体（ｍｅｄｉｕｍ）（磁気記憶媒体（すなわち、ハードディスクドライブ、フロッピー（登録商標）ディスク、テープ等）、光学式記憶体（ＣＤ−ＲＯＭ、光ディスク等）、揮発性及び不揮発性メモリ機器（すなわち、ＥＥＰＲＯＭｓ、ＲＯＭｓ、ＰＲＯＭｓ、ＲＡＭｓ、ＤＲＡＭｓ、ＳＲＡＭｓ、ファームウエア、プログラマブルロジック等））内に具現されたコードまたはロジックのことを表す。
【０１７４】
コンピュータ読み取り可能な媒体内のコードは、プロセッサ（ｐｒｏｃｅｓｓｏｒ）によって接続されて実行される。好ましい実施例が具現されるコードは、転送媒体（ｍｅｄｉａ）または網（ｎｅｔｗｏｒｋ）を介したファイルサーバ（ｓｅｒｖｅｒ）からも接続可能である。それらの場合に、コードの具現される製造物は、ネットワーク転送ライン、無線転送媒体、空間を介して伝播される信号、無線波、赤外線信号などのような転送媒体を含むことができる。もちろん、当該技術分野に属する当業者にとっては、本発明の範囲を逸脱することなくその構成に様々な修正が可能であることと、前記製造物は関連技術に知られたいずれの情報保有媒体も含むことができることが明らかである。
【０１７５】
本技術分野に熟練した者にとっては、本発明の本質や範囲を逸脱しない限度内で本発明の様々な修正及び変形が可能であることは明らかである。したがって、本発明は、添付された請求項及びその均等範囲内で符合する本発明のいずれの修正及び変動も含むことができる。
【０１７６】
前述の実施例及び長所は、単に例示的なもので、本発明を制限するためのものではない。本発明は、装置の他のタイプにも容易に適用されることができる。本発明の説明は、解説のためのもので、請求項の範囲を制限するためのものではない。多くの両者択一的な選択事項、修正及び変更は、本技術分野における当業者には明白である。請求項において、機能式請求項（ｍｅａｎ−ｐｌｕｓ−ｆｕｎｃｔｉｏｎ）は引用された機能及び構造的な均等物だけでなく、均等な構造まで行うようにここで説明された構造を含む。
【図面の簡単な説明】
【０１７７】
【図１】一般の媒介体独立ハンドオーバー（ｍｅｄｉａ  ｉｎｄｅｐｅｎｄｅｎｔ  ｈａｎｄｏｖｅｒ；ＭＩＨ）機能参照モデルを示す。
【図２】マルチモード移動端末を示す構造図である。
【図３】媒介体独立ハンドオーバー（ＭＩＨ）構造及び転送プロトコルを示す図である。
【図４】イベントトリガー（ｅｖｅｎｔ  ｔｒｉｇｇｅｒ）を示す構造図である。
【図５】現在接続リンクから新しいリンクにリンクセットアップ過程が行われるまで生成されるトリガーを示す。
【図６】リンクイベント（Ｌｉｎｋ  Ｅｖｅｎｔ）モデル及びＭＩＨイベント（ＭＩＨ  Ｅｖｅｎｔ）モデルを示す構造図である。
【図７】遠隔リンクイベント（Ｒｅｍｏｔｅ  Ｌｉｎｋ  Ｅｖｅｎｔ）モデルを示す構造図である。
【図８】遠隔ＭＩＨイベント（Ｒｅｍｏｔｅ  ＭＩＨ  Ｅｖｅｎｔ）モデルを示す構造図である。
【図９】ＭＩＨコマンド（ＭＩＨ  ｃｏｍｍａｎｄ）モデル及びリンクコマンド（Ｌｉｎｋ  ｃｏｍｍａｎｄ）モデルを示す構造図である。
【図１０】遠隔ＭＩＨコマンド（Ｒｅｍｏｔｅ  ＭＩＨ  ｃｏｍｍａｎｄ）モデルを示す構造図である。
【図１１】遠隔リンクコマンド（Ｒｅｍｏｔｅ  Ｌｉｎｋ  ｃｏｍｍａｎｄ）モデルを示す構造図である。
【図１２】移動ＩＰｖ４システムの動作を示す図である。
【図１３】動的ホスト構成プロトコル（ＤＨＣＰ）クライアントがＤＨＣＰサーバから自動的にインターネットプロトコル（ＩＰ）アドレスを受信するようにする方法を示すフローチャートである。
【図１４】移動ＩＰｖ６システムの動作を示すフローチャートである。
【図１５】ＤＨＣＰｖ６サーバの動作を示すフローチャートである。
【図１６】マルチモード移動端末があるインターフェース網から他のインターフェース網にハンドオーバーされる時に臨時アドレス（ｔｅｍｐｏｒａｒｙ  ａｄｄｒｅｓｓまたはｃａｒｅ  ｏｆ  ａｄｄｒｅｓｓ（ＣｏＡ））再設定（ｒｅ−ｓｅｔｕｐ）手順を示すフローチャートである。
【図１７】本発明の一実施例によるマルチモード移動端末のプロトコルスタック及びＩＰアドレスセットアップトリガー動作を示す。
【図１８】本発明の一実施例による、サブネットが変わるように移動端末が他のインターフェース網にハンドオーバーされる時に、臨時アドレスとして移動ＩＰｖ４システムの“ＦＡ−ＣｏＡ”を用いてＩＰアドレスを再設定する方法を示すフローチャートである。
【図１９】本発明の一実施例による、サブネットが変わるように移動端末が他のインターフェース網にハンドオーバーされる時に、臨時アドレスとして移動ＩＰｖ４システムの“ｃｏ−ｌｏｃａｔｅｄ  ＣｏＡ”を用いてアドレスを再設定する方法を示すフローチャートである。
【図２０】本発明の一実施例による、サブネットが変化するように移動端末が他のインターフェース網にハンドオーバーされる時に、臨時アドレスとして移動ＩＰｖ６システムの非状態−保存−タイプアドレスを用いてアドレスを再設定する方法を示すフローチャートである。
【図２１】本発明の一実施例による、サブネットが変化するように移動端末が他のインターフェース網にハンドオーバーされる時に、臨時アドレスとして移動ＩＰｖ６システムの状態−保存−タイプアドレスを用いてアドレスを再設定する方法を示すフローチャートである。
【図２２】本発明の一実施例による、マルチモード移動端末のプロトコルスタック及びＩＰアドレスセットアップイベント／コマンドサービスの動作を示す図である。
【図２３】本発明の一実施例による、上位管理エンティティが、サブネットが変わるように移動端末が他のインターフェース網にハンドオーバーされる時に、臨時アドレス（ＣｏＡ）として移動ＩＰｖ４システムの“ＦＡ−ＣｏＡ”を用いてＩＰアドレスを再設定するようにする方法を示すフローチャートである。
【図２４】本発明の一実施例による、上位管理エンティティが、サブネットが変わるように移動端末が他のインターフェース網にハンドオーバーされる時に、臨時アドレス（ＣｏＡ）として移動ＩＰｖ４システムの“ｃｏ−ｌｏｃａｔｅｄ  ＣｏＡ”を用いてアドレスを再設定するようにする方法を示すフローチャートである。
【図２５】本発明の一実施例による、上位管理エンティティが、サブネットが変わるように移動端末が他のインターフェース網にハンドオーバーされる時に、臨時アドレス（ＣｏＡ）として移動ＩＰｖ６システムの非状態−保存−タイプアドレスを用いてアドレスを再設定するようにする方法を示すフローチャートである。
【図２６】本発明の一実施例による、上位管理エンティティが、サブネットが変わるように移動端末が他のインターフェース網にハンドオーバーされる時に、臨時アドレス（ＣｏＡ）として移動ＩＰｖ６システムの状態−保存−タイプアドレスを用いてアドレスを再設定するようにする方法を示すフローチャートである。
【図２７】本発明の一実施例による、移動端末が他のインターフェース網にハンドオーバーされる前に、サブネットが旧接続点（ｐｏｉｎｔ  ｏｆ  ａｔｔａｃｈｍｅｎｔ；ＰＯＡ）から変更されることを指示（ｉｎｄｉｃａｔｉｎｇ）する特定情報を受信する方法を示すフローチャートである。また、図２７は、本発明の一実施例による、移動端末が他のインターフェース網にハンドオーバーされた後にＩＰアドレス再設定（ｒｅ−ｓｅｔｕｐ）手順を行う方法を示す。
【図１】
2008532359.tif 000015
【図２】
2008532359.tif 000016
【図３】
2008532359.tif 000017
【図４】
2008532359.tif 000018
【図５】
2008532359.tif 000019
【図６】
2008532359.tif 000020
【図７】
2008532359.tif 000021
【図８】
2008532359.tif 000022
【図９】
2008532359.tif 000023
【図１０】
2008532359.tif 000024
【図１１】
2008532359.tif 000025
【図１２】
2008532359.tif 000026
【図１３】
2008532359.tif 000027
【図１４】
2008532359.tif 000028
【図１５】
2008532359.tif 000029
【図１６】
2008532359.tif 000030
【図１７】
2008532359.tif 000031
【図１８】
2008532359.tif 000032
【図１９】
2008532359.tif 000033
【図２０】
2008532359.tif 000034
【図２１】
2008532359.tif 000035
【図２２】
2008532359.tif 000036
【図２３】
2008532359.tif 000037
【図２４】
2008532359.tif 000038
【図２５】
2008532359.tif 000039
【図２６】
2008532359.tif 000040
【図２７】
2008532359.tif 000041
【国際調査報告】
2008532359.tif 000042
2008532359.tif 000043
2008532359.tif 000044